(57)【要約】【課題】ユーザが利用するクラウドサービスや特定のフォルダ等のアクセス先に情報処理装置を接続する際の操作性を改善し、煩雑な手動操作を伴うことなく、情報処理装置と前記接続先とが直接データの送受信を行えるようにする。【解決手段】携帯情報端末は、クラウドサービス用アプリケーション実行部が起動した状態で遠隔操作用アプリケーション実行部が起動されると、そのクラウドサービス用アプリケーション実行部に対応するクラウドサービスの接続先を示すアクセス情報を生成して情報処理装置に送信し、情報処理装置は該アクセス情報が示すクラウド用サービスと情報処理装置との間で通信を行わせる指示を入力するための短縮キーＫ２を含む操作画面Ｇ７を生成して携帯情報端末に送信し、短縮キーＫ２についての操作情報を携帯情報端末から受信すると、前記接続先に基づきクラウドサービスに接続してそのクラウドサービスとの間でデータの送受信を行う。【選択図】図１５
2014120975.tif 000002
【特許請求の範囲】
【請求項１】
情報処理装置と、操作画面が表示可能な携帯情報端末とが互いに通信可能に備えられ、前記通信機能と前記操作画面とを用いて、前記情報処理装置を前記携帯情報端末で遠隔操作可能な情報処理システムであって、
前記携帯情報端末は、
前記遠隔操作を行うための操作画面を示す画面情報を前記情報処理装置から取得して表示する第１のアプリケーション実行手段と、
前記第１のアプリケーション実行手段と異なる第２のアプリケーション実行手段と、
前記第１及び第２のアプリケーション実行手段の起動状態を検知するアプリケーション検知手段と、
前記アプリケーション検知手段により前記第１及び第２のアプリケーション実行手段がともに起動中であることが検知されると、前記第２のアプリケーション実行手段がアクセスしているアクセス先に関するアクセス情報を前記情報処理装置に通知する通知手段と
を備え、
前記情報処理装置は、
前記アクセス情報を受信すると、該アクセス情報に基づいて操作画面を生成する操作画面生成手段と、
前記操作画面生成手段により生成された操作画面を示す画面情報を前記携帯情報端末に送信する送信手段と
を備え、
前記第１のアプリケーション実行手段は、前記送信手段から受信した画面情報に基づき操作画面を表示する情報処理システム。
【請求項２】
前記操作画面生成手段が生成する操作画面は、前記アクセス情報が示すアクセス先に前記情報処理装置がアクセスする指示を入力するための操作キーを含む操作画面である請求項１に記載の情報処理システム。
【請求項３】
前記情報処理装置及び前記携帯情報端末は、ネットワークを介してサーバーに接続して該サーバーによって提供される所定のサービスを利用するものであり、
前記第２のアプリケーション実行手段は、前記所定のサービスを利用するためのものであり、
前記アクセス情報は、前記第２のアプリケーション実行手段がアクセスする前記所定のサービスに接続するための情報であり、
前記操作キーは、前記情報処理装置に前記サーバーとの間で通信を行わせて前記所定のサービスに接続させる指示を入力するための操作キーである請求項２に記載の情報処理システム。
【請求項４】
前記携帯情報端末は、前記所定のサービスを利用するための認証情報を予め記憶しており、前記通知手段は、前記アクセス情報を通知するときに前記所定のサービスを利用するための認証情報を更に前記情報処理装置に通知し、
前記情報処理装置は、前記操作画面生成手段により生成された操作画面を表示する表示手段を更に備え、前記携帯情報端末から前記認証情報を受信すると、該認証情報と前記操作キーとを対応付けて記憶し、前記表示手段に表示された操作画面に、前記認証情報と対応付けて記憶されている操作キーがある場合に、該操作キーに対する操作が行われたときには、該操作キーに対応付けて記憶されている認証情報を前記所定のサービスとの接続に用いる請求項３に記載の情報処理システム。
【請求項５】
前記情報処理装置は印刷機能を有し、
前記アクセス先は、前記第２のアプリケーション実行手段によって開かれている前記サーバー内のファイルであり、
前記操作画面生成手段が生成する操作画面は、前記アクセス情報に基づき前記第２のアプリケーション実行手段がアクセスしているファイルを取得して当該ファイルに基づく印刷の結果を予め示したプレビューをさらに含む操作画面である請求項３又は４に記載の情報処理システム。
【請求項６】
前記情報処理装置は、前記所定のサービスとの間で直接の通信が禁止されているとき、その旨を前記携帯情報端末に通知し、
前記携帯情報端末は、前記情報処理装置から前記通知を受け取ると、前記情報処理装置と前記所定のサービスとの間の通信を中継する請求項３乃至５のいずれか一項に記載の情報処理システム。
【請求項７】
前記携帯情報端末は、前記情報処理装置から前記所定のサービスにファイルを送信すべき場合において前記通知を前記情報処理装置から受け取ったときには、前記ファイルを前記情報処理装置から取得し且つ該ファイルを前記情報処理装置に代わって前記所定のサービスに送信するべく、当該携帯情報端末に接続するためのアクセス情報を前記情報処理装置に通知する請求項６に記載の情報処理システム。
【請求項８】
前記所定のサービスは、前記ネットワークを介してデータの蓄積を行うサーバーを用いたクラウドサービスである請求項３乃至７のいずれか一項に記載の情報処理システム。
【請求項９】
前記第２のアプリケーション実行手段は、前記携帯情報端末に格納されているフォルダにアクセスするためのものであり、
前記操作キーは、前記第２のアプリケーション実行手段がアクセスしているフォルダへのデータ送信を前記情報処理装置に行わせる指示を入力するための操作キーである請求項２記載の情報処理システム。
【請求項１０】
前記情報処理装置は印刷機能を有し、
前記第２のアプリケーション実行手段は、前記携帯情報端末に格納されているファイルにアクセスするためのものであり、
前記操作画面生成手段が生成する操作画面は、前記アクセス情報に基づき前記第２のアプリケーション実行手段がアクセスしているファイルを取得して当該ファイルに基づく印刷の結果を予め示したプレビューを含む請求項１又は２に記載の情報処理システム。
【請求項１１】
前記携帯情報端末は、撮影動作を行う撮影手段を備え、
前記第２のアプリケーション実行手段は、前記撮影手段の撮影動作によって生成された撮影画像にアクセスし、該撮影画像を再生するためのものであり、
前記操作画面生成手段が生成する操作画面は、前記アクセス情報に基づき前記第２のアプリケーション実行手段がアクセスして再生している撮影画像を取得して当該撮影画像に基づく印刷の結果を予め示したプレビューを含む請求項１又は２に記載の情報処理システム。
【請求項１２】
前記携帯情報端末は、前記送信手段から受信した画面情報が示す操作画面と前記第２のアプリケーション実行手段の起動画面とを並べて表示する請求項１乃至１１のいずれか一項に記載の情報処理システム。
【請求項１３】
前記アプリケーション検知手段により前記第２のアプリケーション実行手段の非起動中に前記第１のアプリケーション実行手段の起動が検知されると、前記情報処理装置がアクセスすべきアクセス先をアクセス情報としてユーザが入力するための操作画面が前記携帯情報端末に表示され、
前記通知手段は、該操作画面に対して入力されたアクセス情報を前記情報処理装置に通知する請求項１乃至１２のいずれか一項に記載の情報処理システム。
【請求項１４】
操作画面が表示可能な携帯情報端末との間で通信可能に備えられ、前記通信機能と前記操作画面とを用いた前記携帯情報端末による遠隔操作を受け得る情報処理装置であって、
前記携帯情報端末のアクセス先に関するアクセス情報を受信することに伴い、そのアクセス情報に基づいて操作画面を生成する操作画面生成手段と、
前記操作画面生成手段により生成された操作画面を示す画面情報を前記携帯情報端末に送信する送信手段と
を備える情報処理装置。
【請求項１５】
操作画面が表示可能な携帯情報端末との間で通信可能に備えられ、前記通信機能と前記操作画面とを用いた前記携帯情報端末による遠隔操作を受け得る情報処理装置を動作させるプログラムであって、
前記情報処理装置を、
前記携帯情報端末のアクセス先に関するアクセス情報を受信することに伴い、そのアクセス情報に基づいて操作画面を生成する操作画面生成手段と、
前記操作画面生成手段により生成された操作画面を示す画面情報を前記携帯情報端末に送信する送信手段と
して機能させるプログラム。
【請求項１６】
通信機能を用いて情報処理装置を遠隔操作可能な携帯情報端末を動作させるプログラムであって、
前記遠隔操作を行うための操作画面を示す画面情報を取得して表示する第１のアプリケーション実行手段と、
前記第１のアプリケーション実行手段及び該第１のアプリケーション実行手段と異なる第２のアプリケーション実行手段の起動状態を検知するアプリケーション検知手段と、
前記アプリケーション検知手段により前記第１及び第２のアプリケーション実行手段がともに起動中であることが検知されると、前記第２のアプリケーション実行手段のアクセス先に関するアクセス情報を前記情報処理装置に通知する通知手段
として機能させるプログラム。 
【発明の詳細な説明】
【技術分野】
【０００１】
本発明は、情報処理システム、情報処理装置及びプログラムに関し、特に携帯情報端末から情報処理装置を遠隔操作するための技術に関する。
【背景技術】
【０００２】
プリント機能やスキャン機能を備えたＭＦＰ（Multi-Function Peripherals）などと呼ばれる情報処理装置は、一般にネットワークに接続された状態で使用され、文書データなどの各種データを送受信することができる。例えば、情報処理装置は、スキャン機能によって読み取った画像データをネットワーク経由でサーバーなどに送信することが可能である。
【０００３】
従来、この種の情報処理装置と他の装置とをネットワークを介して連携させるための技術として、例えば下記特許文献１〜３に開示される技術がある。
【０００４】
下記特許文献１には、パーソナルコンピュータ（以下、ＰＣという）とＭＦＰとがネットワークを介して通信可能に接続されており、ＭＦＰの読取動作により得られた画像データをＭＦＰからＰＣに送信するモードを有する画像処理システムが記載されている。また、該特許文献１には、前記画像処理システムにおいて、該モードが選択されているとき、ＰＣからＭＦＰに、ＰＣの表示装置に表示されている画面をＭＦＰの表示装置で再現するための画面データを送信し、ＭＦＰの表示装置において、ＰＣから送信されてきた画面データに基づく画面をリモート画面として表示し、そのリモート画面に対してユーザが指定した位置を示す位置データを、ＭＦＰで読み取ったスキャンデータとともにＰＣに送信し、ＰＣにおいて、受信した位置データに基づき、指定された位置に表示されているフォルダを検出し、その検出したフォルダに、ＭＦＰから受信したスキャンデータを格納する技術が開示されている。
【０００５】
下記特許文献２には、画像処理装置とコンピュータ端末とがネットワークを介して通信可能に接続されているシステムにおいて、画像処理装置を用いてコンピュータ端末を遠隔操作するべく、コンピュータ端末の画面の内容を画像処理装置が受信して、その画面を画像処理装置の表示手段で表示し、その画面に対して行われた操作を示す操作情報を前記コンピュータ端末に送信する技術が開示されている。
【０００６】
下記特許文献３には、パーソナルコンピュータ、ＰＤＡ或いは携帯電話機等のクライアントデバイスとネットワークを介して通信可能なデジタル複合装置において、前記クライアントデバイスから動作状況表示リクエストを受信すると、その動作状況表示リクエストの発信元であるクライアントデバイスの機種に対応するＨＴＭＬデータを作成し、そのＨＴＭＬデータを前記クライアントデバイスに送信する技術が開示されている。
【０００７】
一方、近年においてはタブレット端末やスマートフォンなどの携帯情報端末の普及が著しい。この種の携帯情報端末は、ＬＡＮ（Local Area Network）やＷＡＮ（Wide Area Network）、或いは公衆電話網などのネットワークに無線接続する機能を備える他、ＮＦＣ（Near Field Communication）などにより特定のデバイスとの近距離無線通信を行う機能を備えている。
【先行技術文献】
【特許文献】
【０００８】
【特許文献１】特開２０１０−０７４６８２号公報
【特許文献２】特開２００６−０５９０８３号公報
【特許文献３】特開２００４−２５９０７０号公報
【発明の概要】
【発明が解決しようとする課題】
【０００９】
ところで、近年においてはインターネットを介して文書データなどの各種データを蓄積しておくクラウドサービスが提供されている。このようなクラウドサービスは、インターネットに接続できる環境があれば、何時でも何処からでもデータのアップロードやダウンロードが可能であるため、利便性が高い。特に近年では、タブレット端末やスマートフォンなどの携帯情報端末の普及に伴い、それら携帯情報端末からクラウドサービスを利用するケースが増加している。そのため、今後は、情報処理装置のスキャン機能で読み取った画像データを携帯情報端末に取り込み、携帯情報端末からクラウドサービスにアップロードしたり、或いは、携帯情報端末がクラウドサービスからダウンロードした画像データを情報処理装置に転送し、情報処理装置のプリント機能で印刷出力したりすることが頻繁に行われるようになると考えられる。
【００１０】
その際、システムの利便性の点から、情報処理装置においてスキャン機能で取得された画像データを情報処理装置から直接クラウドサービスにアップロードしたり、或いは、クラウドサービスで保持されている画像データを情報処理装置に直接ダウンロードして印刷したりすることが求められる。
【００１１】
その一方、オフィスなどに設置される情報処理装置は多数のユーザによって共有して使用されるものである。それ故、情報処理装置は、各ユーザが普段利用しているクラウドサービスに関する情報や、そのクラウドサービスを利用するためのユーザアカウントにログインするためのユーザＩＤやパスワードなどの認証情報を保持していないのが一般的である。
【００１２】
そのような状況において、ユーザが情報処理装置からクラウドサービスにデータを直接アップロードしたりする場合、ユーザは情報処理装置に対してクラウドサービスへ接続するための接続先アドレスなどを入力し、さらにユーザＩＤやパスワードなどの認証情報を入力して情報処理装置からクラウドサービスにログインしなければならない。このような手動操作はユーザが情報処理装置を用いてクラウドサービスに接続する度に行わなければならないため、ユーザにとって煩わしいという問題がある。
【００１３】
ここで、情報処理装置をクラウドサービスに接続する際の操作性を改善するため、例えば各ユーザが利用するクラウドサービスに関する情報や、各ユーザがクラウドサービスにログインするための認証情報などを予め情報処理装置に登録しておくという方法も考えられる。
【００１４】
しかし、オフィスなどの場合には情報処理装置が複数台設置されることが一般的であり、それら複数の情報処理装置の全てに対し、予め各ユーザが利用するクラウドサービスに関する情報の全てを登録しておくことも煩わしい。また、インターネットを介して提供されるクラウドサービスの内容は各社様々であり、各ユーザは自身の要求に合ったクラウドサービスを選択して利用する。特に、ユーザによっては複数のクラウドサービスを用途に応じて使い分けて利用しているケースもある。そのため、各ユーザが利用しているクラウドサービスを情報処理装置に登録する場合、ユーザごとに異なるサービスを登録したり、或いは、複数のサービスを登録したりしなければならず、登録時の作業が著しく煩雑化するという問題もある。さらに、ユーザが利用するクラウドサービスを別のクラウドサービスに変更してしまった場合には、その都度、情報処理装置に登録されている情報も変更しなければならず、この点においても煩わしい変更作業が発生する。
【００１５】
また、前述のようなクラウドサービスを利用する場合に限らず、例えば、情報処理装置で取得したスキャン画像ファイルなどのファイルを携帯情報端末などの他の装置における特定のフォルダに格納したり、携帯情報端末などの他の装置におけるファイルを情報処理装置で印刷したりする場合も、ユーザは情報処理装置に対して前記特定のフォルダやファイルにアクセスするためのアドレスなどを入力しなければならない。このような手動操作はユーザが情報処理装置を用いて前記特定のフォルダやファイルにアクセスする度に行わなければならないため、ユーザにとって煩わしい。
【００１６】
前記各特許文献１〜３はいずれもこれらの課題を解決できるものではない。
【００１７】
そこで、本発明は、このような課題に鑑みてなされたものであり、ユーザが利用するクラウドサービスや特定のフォルダ等のアクセス先に情報処理装置を接続する際の操作性を改善し、煩雑な手動操作を伴うことなく、情報処理装置と前記接続先とが直接データの送受信を行えるようにした情報処理システム、情報処理装置及びプログラムを提供することを目的とする。
【課題を解決するための手段】
【００１８】
前記目的を達成するため、請求項１に記載の発明は、情報処理装置と、操作画面が表示可能な携帯情報端末とが互いに通信可能に備えられ、前記通信機能と前記操作画面とを用いて、前記情報処理装置を前記携帯情報端末で遠隔操作可能な情報処理システムであって、前記携帯情報端末は、前記遠隔操作を行うための操作画面を示す画面情報を前記情報処理装置から取得して表示する第１のアプリケーション実行手段と、前記第１のアプリケーション実行手段と異なる第２のアプリケーション実行手段と、前記第１及び第２のアプリケーション実行手段の起動状態を検知するアプリケーション検知手段と、前記アプリケーション検知手段により前記第１及び第２のアプリケーション実行手段がともに起動中であることが検知されると、前記第２のアプリケーション実行手段がアクセスしているアクセス先に関するアクセス情報を前記情報処理装置に通知する通知手段とを備え、前記情報処理装置は、前記アクセス情報を受信すると、該アクセス情報に基づいて操作画面を生成する操作画面生成手段と、前記操作画面生成手段により生成された操作画面を示す画面情報を前記携帯情報端末に送信する送信手段とを備え、前記第１のアプリケーション実行手段は、前記送信手段から受信した画面情報に基づき操作画面を表示するものである。
【００１９】
請求項２に記載の発明は、請求項１記載の情報処理システムにおいて、前記操作画面生成手段が生成する操作画面は、前記アクセス情報が示すアクセス先に前記情報処理装置がアクセスする指示を入力するための操作キーを含む操作画面である。
【００２０】
請求項３に記載の発明は、請求項２に記載の情報処理システムにおいて、前記情報処理装置及び前記携帯情報端末は、ネットワークを介してサーバーに接続して該サーバーによって提供される所定のサービスを利用するものであり、前記第２のアプリケーション実行手段は、前記所定のサービスを利用するためのものであり、前記アクセス情報は、前記第２のアプリケーション実行手段がアクセスする前記所定のサービスに接続するための情報であり、前記操作キーは、前記情報処理装置に前記サーバーとの間で通信を行わせて前記所定のサービスに接続させる指示を入力するための操作キーである。
【００２１】
請求項４に記載の発明は、請求項３に記載の情報処理システムにおいて、前記携帯情報端末は、前記所定のサービスを利用するための認証情報を予め記憶しており、前記通知手段は、前記アクセス情報を通知するときに前記所定のサービスを利用するための認証情報を更に前記情報処理装置に通知し、前記情報処理装置は、前記操作画面生成手段により生成された操作画面を表示する表示手段を更に備え、前記携帯情報端末から前記認証情報を受信すると、該認証情報と前記操作キーとを対応付けて記憶し、前記表示手段に表示された操作画面に、前記認証情報と対応付けて記憶されている操作キーがある場合に、該操作キーに対する操作が行われたときには、該操作キーに対応付けて記憶されている認証情報を前記所定のサービスとの接続に用いる。
【００２２】
請求項５に記載の発明は、請求項３又は４に記載の情報処理システムにおいて、前記情報処理装置は印刷機能を有し、前記アクセス先は、前記第２のアプリケーション実行手段によって開かれている前記サーバー内のファイルであり、前記操作画面生成手段が生成する操作画面は、前記アクセス情報に基づき前記第２のアプリケーション実行手段がアクセスしているファイルを取得して当該ファイルに基づく印刷の結果を予め示したプレビューをさらに含む操作画面である。
【００２３】
請求項６に記載の発明は、請求項３乃至５のいずれか一項に記載の情報処理システムにおいて、前記情報処理装置は、前記所定のサービスとの間で直接の通信が禁止されているとき、その旨を前記携帯情報端末に通知し、前記携帯情報端末は、前記情報処理装置から前記通知を受け取ると、前記情報処理装置と前記所定のサービスとの間の通信を中継する。
【００２４】
請求項７に記載の発明は、請求項６に記載の情報処理システムにおいて、前記携帯情報端末は、前記情報処理装置から前記所定のサービスにファイルを送信すべき場合において前記通知を前記情報処理装置から受け取ったときには、前記ファイルを前記情報処理装置から取得し且つ該ファイルを前記情報処理装置に代わって前記所定のサービスに送信するべく、当該携帯情報端末に接続するためのアクセス情報を前記情報処理装置に通知する。
【００２５】
請求項８に記載の発明は、請求項３乃至７のいずれか一項に記載の情報処理システムにおいて、前記所定のサービスは、前記ネットワークを介してデータの蓄積を行うサーバーを用いたクラウドサービスである。
【００２６】
請求項９に記載の発明は、請求項２に記載の情報処理システムにおいて、前記第２のアプリケーション実行手段は、前記携帯情報端末に格納されているフォルダにアクセスするためのものであり、前記操作キーは、前記第２のアプリケーション実行手段がアクセスしているフォルダへのデータ送信を前記情報処理装置に行わせる指示を入力するための操作キーである。
【００２７】
請求項１０に記載の発明は、請求項１又は２に記載の情報処理システムにおいて、前記情報処理装置は印刷機能を有し、前記第２のアプリケーション実行手段は、前記携帯情報端末に格納されているファイルにアクセスするためのものであり、前記操作画面生成手段が生成する操作画面は、前記アクセス情報に基づき前記第２のアプリケーション実行手段がアクセスしているファイルを取得して当該ファイルに基づく印刷の結果を予め示したプレビューを含む。
【００２８】
請求項１１に記載の発明は、請求項１又は２に記載の情報処理システムにおいて、前記携帯情報端末は、撮影動作を行う撮影手段を備え、前記第２のアプリケーション実行手段は、前記撮影手段の撮影動作によって生成された撮影画像にアクセスし、該撮影画像を再生するためのものであり、前記操作画面生成手段が生成する操作画面は、前記アクセス情報に基づき前記第２のアプリケーション実行手段がアクセスして再生している撮影画像を取得して当該撮影画像に基づく印刷の結果を予め示したプレビューを含む。
【００２９】
請求項１２に記載の発明は、請求項１乃至１１のいずれか一項に記載の情報処理システムにおいて、前記携帯情報端末は、前記送信手段から受信した画面情報が示す操作画面と前記第２のアプリケーション実行手段の起動画面とを並べて表示する。
【００３０】
請求項１３に記載の発明は、請求項１乃至１２のいずれか一項に記載の情報処理システムにおいて、前記アプリケーション検知手段により前記第２のアプリケーション実行手段の非起動中に前記第１のアプリケーション実行手段の起動が検知されると、前記情報処理装置がアクセスすべきアクセス先をアクセス情報としてユーザが入力するための操作画面が前記携帯情報端末に表示され、前記通知手段は、該操作画面に対して入力されたアクセス情報を前記情報処理装置に通知する。
【００３１】
請求項１４に記載の発明は、操作画面が表示可能な携帯情報端末との間で通信可能に備えられ、前記通信機能と前記操作画面とを用いた前記携帯情報端末による遠隔操作を受け得る情報処理装置であって、前記携帯情報端末のアクセス先に関するアクセス情報を受信することに伴い、そのアクセス情報に基づいて操作画面を生成する操作画面生成手段と、前記操作画面生成手段により生成された操作画面を示す画面情報を前記携帯情報端末に送信する送信手段とを備えるものである。
【００３２】
請求項１５に記載の発明は、操作画面が表示可能な携帯情報端末との間で通信可能に備えられ、前記通信機能と前記操作画面とを用いた前記携帯情報端末による遠隔操作を受け得る情報処理装置を動作させるプログラムであって、前記情報処理装置を、前記携帯情報端末のアクセス先に関するアクセス情報を受信することに伴い、そのアクセス情報に基づいて操作画面を生成する操作画面生成手段と、前記操作画面生成手段により生成された操作画面を示す画面情報を前記携帯情報端末に送信する送信手段として機能させるものである。
【００３３】
請求項１６に記載の発明は、通信機能を用いて情報処理装置を遠隔操作可能な携帯情報端末を動作させるプログラムであって、前記遠隔操作を行うための操作画面を示す画面情報を取得して表示する第１のアプリケーション実行手段と、前記第１のアプリケーション実行手段及び該第１のアプリケーション実行手段と異なる第２のアプリケーション実行手段の起動状態を検知するアプリケーション検知手段と、前記アプリケーション検知手段により前記第１及び第２のアプリケーション実行手段がともに起動中であることが検知されると、前記第２のアプリケーション実行手段のアクセス先に関するアクセス情報を前記情報処理装置に通知する通知手段として機能させるものである。
【発明の効果】
【００３４】
本発明によれば、ユーザが利用するクラウドサービスや特定のフォルダ等のアクセス先に情報処理装置を接続する際の操作性を改善し、煩雑な手動操作を伴うことなく、情報処理装置と前記接続先とが直接データの送受信を行うことができるようになる。
【図面の簡単な説明】
【００３５】
【図１】情報処理システムの一構成例を示す概念図である。
【図２】携帯情報端末のハードウェア構成の一例を示す図である。
【図３】携帯情報端末における制御部の機能構成の一例を示すブロック図である。
【図４】アプリケーション実行部の種類を説明するための図である。
【図５】携帯情報端末において常駐する管理部によって行われる処理手順の一例を示すフローチャートである。
【図６】管理部によって管理される管理テーブルの一例を示す図である。
【図７】携帯情報端末が情報処理装置との通信を行う際の一連の処理手順を示すフローチャートである。
【図８】アプリケーション実行部と表示部、入力操作部及び接続制御部との関係を説明するための図である。
【図９】（ａ）は、クラウドサービス用アプリケーション実行部が起動したときに表示されるクラウドサービス画面を示し、（ｂ）は、ファイル作成用アプリケーション実行部が起動したときに表示されるファイル一覧画面を示し、（ｃ）は、撮影／再生用アプリケーション実行部が起動したときに表示される画面を示し、（ｄ）は、遠隔操作用アプリケーション実行部が起動したときに表示される初期画面を示す図である。
【図１０】遠隔操作用アプリケーション実行部が情報処理装置から画面データを受信した場合の処理を示すフローチャートである。
【図１１】図７のステップＳ３４の手動設定処理を示すフローチャートである。
【図１２】手動設定画面の一例を示す図である。
【図１３】情報処理装置のハードウェア構成の一例を示す図である。
【図１４】情報処理装置が携帯情報端末との間で近距離無線通信が可能に接続されていない場合に、表示部に表示される通常の操作画面を示す図である。
【図１５】アクセス情報がクラウドサービスを示すものである場合に生成される操作画面を示す図である。
【図１６】アクセス情報が撮影画像のアドレスを示すものである場合に生成される操作画面を示す図である。
【図１７】情報処理装置において行われる処理手順の一例を示すフローチャートである。
【図１８】情報処理装置において行われる処理手順の一例を示すフローチャートである。
【図１９】情報処理装置において行われる処理手順の一例を示すフローチャートである。
【図２０】クラウドサービス用アプリケーション実行部の起動中に遠隔操作用アプリケーション実行部が起動された場合に携帯情報端末に２画面表示される画面を示す図である。
【図２１】操作パネルや携帯情報端末で表示されていた短縮キーを、短縮キーの操作によって指示された動作が完了すると操作画面から削除するか否かについて、ユーザに選択させるための操作画面の一例を示す図である。
【図２２】図２１に示す操作画面で「ＹＥＳ」キー又は「ＮＯ」キーが操作された場合に、携帯情報端末及び情報処理装置で行われる処理を示すフローチャートである。
【図２３】アクセス先を予めユーザが設定しておくか情報処理システム側で自動設定させるかをユーザが選択を行うための操作画面の一例を示す図である。
【発明を実施するための形態】
【００３６】
以下、本発明に関する好ましい実施形態について図面を参照しつつ詳細に説明する。なお、以下に説明する実施形態において互いに共通する部材には同一符号を付しており、それらについての重複する説明は省略する。
【００３７】
図１は、情報処理システム１の一構成例を示す概念図である。図１に示す情報処理システム１は、ＭＦＰなどで構成される情報処理装置２と、ユーザが普段携帯して使用している携帯情報端末３とを備えて構成されている。本実施形態では、情報処理装置２と携帯情報端末３のそれぞれがネットワーク５を介してクラウドサービスを提供するサービス提供サーバー４にアクセスすることが可能となっている。ネットワーク５は、ＬＡＮやＷＡＮ、或いは公衆電話網やインターネット網などを含むネットワークである。
【００３８】
情報処理装置２は、ネットワーク５を介してデータ通信を行う機能を有する他、スキャン機能、プリント機能及びＢＯＸ機能などの複数の機能を備えている。
【００３９】
スキャン機能は、情報処理装置２の例えば装置本体上部に設けられたスキャナ部６を駆動して原稿の読み取り動作を行い、その読取動作で得られた画像ファイル（スキャン画像ファイル）を生成する機能である。プリント機能は、情報処理装置２の例えば装置本体中央部に設けられたプリンタ部７を駆動して印刷出力を行う機能である。ＢＯＸ機能は、後述する記憶領域（フォルダ）に各種データを記憶しておく機能であり、例えばスキャン機能により得られたスキャン画像ファイルを記憶したり、ネットワーク５を介して受信した受信データを記憶したりする。
【００４０】
これらのスキャン機能、プリント機能及びＢＯＸ機能は、ネットワーク５を介して行うデータ通信機能と連動することも可能である。例えば、スキャン機能の場合は、原稿を読み取って生成したスキャン画像ファイルをデータ通信機能によって外部に送信することが可能である。また、プリント機能の場合は、データ通信機能によって外部から取得される画像ファイルに基づき印刷出力を行うことが可能である。このような情報処理装置２は、例えばオフィスなどに設置される場合、複数のユーザによって共有して利用され得る。
【００４１】
また、情報処理装置２は、例えば装置本体の正面側に、ユーザが情報処理装置２を操作する際のユーザインタフェースとなる操作パネル８を備えている。情報処理装置２は、この操作パネル８に対して行われるユーザの指示入力操作に基づき、上述した複数の機能のうちの少なくとも１つを動作させ、ユーザによって指定されたジョブを実行する。
【００４２】
さらに、情報処理装置２は、ＮＦＣなどにより所定距離の範囲内にある特定のデバイスとの間で近距離無線通信を行う機能を備えている。この近距離無線通信機能により、情報処理装置２は、情報処理装置２を使用しようとしているユーザが所持する携帯情報端末３との間で通信を行うことができる構成となっている。
【００４３】
携帯情報端末３は、タブレット端末やスマートフォンなどで構成される可搬型の情報端末装置であり、一人のユーザによって占有される装置である。この携帯情報端末３は、ネットワーク５を介して他の機器とデータ通信を行う機能（以下、ネットワーク通信機能という）と、情報処理装置２がＮＦＣなどにより携帯情報端末３から所定距離の範囲内にある場合に、該情報処理装置２との間で近距離無線通信を行う機能（近距離無線通信機能）との２つの無線による通信機能を有している。
【００４４】
また、本実施形態に係る携帯情報端末３は、画像や操作画面を表示する表示機能を有している。これにより、ユーザは、携帯情報端末３に格納されている画像や、情報処理装置２やサービス提供サーバー４に格納されている画像を閲覧したり、後述する各種操作画面に対して所望の操作を入力したりすることができる。
【００４５】
さらに、本実施形態に係る携帯情報端末３は、被写体の光像を撮影する撮影機能及び撮影動作により得られた画像を表示する再生機能を有している。これにより、ユーザは所望の被写体を撮影することができるとともに、その撮影した画像を閲覧することができる。
【００４６】
携帯情報端末３には、様々なアプリケーションプログラム（以下、単にアプリケーションというものとする）をインストール可能である。インストール可能なアプリケーションとして、例えば、前記携帯情報端末３に予めサービス提供サーバー４によって提供されるクラウドサービスを利用するためのクラウドサービス用アプリケーションがある。このアプリケーションを携帯情報端末３にインストールすることで、ユーザはそのアプリケーションを実行させたときに、何時でも何処からでも携帯情報端末３を用いてサービス提供サーバー４によって提供されるクラウドサービスを利用することができる。
【００４７】
また、インストール可能な他のアプリケーションとして、前記近距離無線通信機能を用いて前記情報処理装置２の動作を当該携帯情報端末３から遠隔操作するための遠隔操作用アプリケーションがある。このアプリケーションを携帯情報端末３にインストールすることで、該アプリケーションを実行させたときに、情報処理装置２の操作パネル８に表示される操作画面と同一の操作画面が携帯情報端末３にも表示され、ユーザがその操作画面を操作することにより、携帯情報端末３と情報処理装置２との間の近距離無線通信Ｃ３を介して情報処理装置２の動作を遠隔的に操作することができる。
【００４８】
インストール可能な他のアプリケーションとして、サービス提供サーバー４や携帯情報端末３、或いは情報処理装置２に保存されているフォルダを開いて該フォルダの中身を閲覧可能に開示したり、前記フォルダ内のファイル（データ）の編集を行ったりするためのファイル作成用アプリケーションがある。サービス提供サーバー４、携帯情報端末３及び情報処理装置２には、各種のデータを記憶する記憶領域がフォルダとして設けられている。
【００４９】
このアプリケーションを携帯情報端末３にインストールすることで、ユーザが特定のフォルダを開く指示を入力する操作を行ったときに該ファイル作成用アプリケーションが実行され、該アプリケーションによって前記フォルダの内部が開示される。これにより、ユーザは、そのファイルの中身を閲覧することができる。また、ユーザがフォルダ内のファイル（データ）を開く指示を入力する操作を行ったときにはそのファイルが開かれ、ユーザは該ファイルの編集が可能となる。
【００５０】
インストール可能な他のアプリケーションとして、前記撮影機能及び／又は前記再生機能を実現するための撮影／再生用アプリケーションがある。このアプリケーションを携帯情報端末３にインストールすることで、該アプリケーションを実行させたときに、携帯情報端末３には、ライブビュー画像や撮影及び再生に関する各種の操作キーを含む画面が表示され、前記操作キーに対して操作することにより、ユーザは所望の被写体を撮影したり、その撮影画像を再生させて閲覧したりすることができる。
【００５１】
サービス提供サーバー４は、例えばインターネット上に設置されるサーバーであり、インターネットを介して様々なクラウドサービスを提供する。このサービス提供サーバー４は、例えば登録ユーザごとにアカウントを作成し、そのアカウントごとに各登録ユーザが占有して利用可能な一定のデータ記憶領域を設定する。そして、登録ユーザがネットワーク５を介しそのデータ記憶領域に対してデータをアップロードしたり、或いはそのデータ記憶領域からデータをダウンロードしたりすることができるサービスを提供する。なお、このようなサービス提供サーバー４は、インターネット上において一般に多数設置されているが、図１においてはそのうちの１台だけを例示している。
【００５２】
このように構成される情報処理システム１では、通常、ユーザは自身で所持する携帯情報端末３を用いてサービス提供サーバー４との接続状態Ｃ１を確立し、そのサービス提供サーバー４が提供するクラウドサービスを利用する。
【００５３】
しかし、ユーザにとっては、例えば情報処理装置２で原稿を読み取って得られるスキャン画像ファイルを情報処理装置２から直接クラウドサービスにアップロードしたい場合や、クラウドサービスで保存されているファイルを情報処理装置２に直接ダウンロードして印刷出力したい場合などがある。
【００５４】
このような場合、本実施形態に係る情報処理システム１においては、携帯情報端末３を用いてクラウドサービスを利用している状態で前記遠隔操作用アプリケーションを実行させることで、ユーザが利用するクラウドサービスを提供するサービス提供サーバー４に接続するためのアクセス情報を携帯情報端末３から情報処理装置２に通知する。情報処理装置２は、この通知を受けて操作画面を新たに生成する。この操作画面には、携帯情報端末３から送信されるアクセス情報に基づいて生成される操作キーであって、情報処理装置２とサービス提供サーバー４との間で接続状態Ｃ２を確立して情報処理装置２がサービス提供サーバー４との間で直接ファイルの送受信を行う一連の処理の実行指示を一括入力するための操作キー（以下、この操作キーを短縮キーという）を含んでいる。そして、情報処理装置２は、該操作画面の画面データを携帯情報端末３に送信し、携帯情報端末３は、この画面データを受信すると、該画面データが示す操作画面を表示する。
【００５５】
これにより、ユーザは、クラウドサービスを受けたい場合に、情報処理装置２に対して接続先などの情報の入力など煩わしい操作を行うことなく、前記遠隔操作用アプリケーションの実行によって操作画面に表示される前記短縮キーを操作するという簡単な操作だけで、情報処理装置２がサービス提供サーバー４との間で直接データの送受信を行うことができるようになる。
【００５６】
また、携帯情報端末３の遠隔操作用アプリケーションは、クラウドサービス用アプリケーションが起動してクラウドサービスを利用している場合に限らず、例えばファイル作成用アプリケーションや撮影／再生用アプリケーションなどが起動しており、それらのアプリケーションが特定のフォルダやファイルなどにアクセスしている状態のときには、そのアクセス先のフォルダやファイルなどに情報処理装置２が直接アクセスするためのアクセス情報を情報処理装置２へ送信する。この場合においても、情報処理装置２は、携帯情報端末３から受信するアクセス情報に基づいてそれらアプリケーションのアクセス先に関連した操作画面を生成して携帯情報端末３に送信する。そして、携帯情報端末３は、情報処理装置２から受信する操作画面を表示する。
【００５７】
したがって、ユーザは、ファイル作成用アプリケーションや撮影／再生用アプリケーションなどを実行して特定のフォルダやファイルなどを携帯情報端末３に表示している状態で遠隔操作用アプリケーションを実行させたときでも、先にファイル作成用アプリケーションや撮影／再生用アプリケーションなどに対して行った操作を遠隔操作用アプリケーションに対して繰り返し行う必要がなく、操作性が向上する。以下、このような携帯情報端末３及び情報処理装置２について詳しく説明する。
【００５８】
まず、携帯情報端末３について説明する。図２は、携帯情報端末３のハードウェア構成の一例を示す図である。図２に示す携帯情報端末３は、制御部１０と、ネットワーク通信制御部１３と、近距離無線通信制御部１４と、表示部１５と、入力操作部１６と、撮影部１７と、記憶部１８とを備えている。なお、携帯情報端末３がスマートフォンなどで構成される場合には、この他にも電話通話を行うためのマイクやスピーカなどが設けられる。
【００５９】
制御部１０は、ＣＰＵ１１とメモリ１２とを備えており、各部の動作を制御する。ＣＰＵ１１は、記憶部１８に記憶されている各種アプリケーションを実行するものである。メモリ１２は、ＣＰＵ１１がアプリケーションを実行することに伴って発生する一時的なデータなどを記憶するためのものである。
【００６０】
ネットワーク通信制御部１３は、制御部１０がネットワーク５を介してデータ通信を行う場合にその通信制御を行う処理部である。また、近距離無線通信制御部１４は、制御部１０が情報処理装置２との間で近距離無線通信を行う場合にその通信制御を行う処理部である。この近距離無線通信制御部１４は、情報処理装置２との間で近距離無線通信を行うことができる状態になると、それを自動検知し、制御部１０に通知する。
【００６１】
表示部１５は、例えばカラー液晶ディスプレイなどで構成され、携帯情報端末３のユーザに対して各種情報を表示する。入力操作部１６は、例えば表示部１５の画面上に配置されるタッチパネルセンサーなどで構成され、携帯情報端末３のユーザから操作入力を受け付ける。撮影部１７は、詳細な図示は省略するが、被写体光を電気信号に変換するＣＣＤ（Charge Coupled Device）などの撮像素子、該撮像素子に被写体光を導く光学系、フラッシュ光を出力する発光部等を有して構成されている。
【００６２】
記憶部１８は、ソリッドステートドライブ（ＳＳＤ）などで構成される不揮発性の記憶手段である。この記憶部１８には、ＣＰＵ１１によって実行されるアプリケーションとして、携帯情報端末３の基本アプリケーションであるオペレーティングシステム２０と、ユーザが利用する複数のアプリケーションプログラム２１と、制御部１０を後述する接続制御部４０（図３参照）として機能させる制御プログラム２２とが記憶されている。
【００６３】
アプリケーション２１として、携帯情報端末３がサービス提供サーバー４に接続してクラウドサービスを利用するための前述したクラウドサービス用アプリケーションがある。なお、例えばユーザが複数のクラウドサービスを利用している場合、記憶部１８には、それら複数のクラウドサービスのそれぞれに対応するアプリケーション２１が記憶されている。
【００６４】
また、他のアプリケーション２１として、前記近距離無線通信機能を用いて前記情報処理装置２の動作を当該携帯情報端末３から遠隔操作するための前記遠隔操作用アプリケーションや、サービス提供サーバー４、携帯情報端末３或いは情報処理装置２に記憶されているフォルダを開いて該フォルダの中身を閲覧可能に開示したり、そのフォルダ内のファイル（データ）の編集を行ったりするための前記ファイル作成用アプリケーション、或いは、前記撮影機能及び前記再生機能を実現するための撮影／再生用アプリケーションもある。
【００６５】
また、記憶部１８には、前記各アプリケーションの他、認証情報２３とユーザ情報２４とが記憶されている。
【００６６】
認証情報２３は、携帯情報端末３がサービス提供サーバー４に接続してユーザ固有のアカウントへログインする際に用いられる情報であり、サービス提供サーバー４に登録されているユーザＩＤやパスワードに関する情報である。ユーザが複数のクラウドサービスを利用している場合、このような認証情報２３はクラウドサービスごとに記憶されている。
【００６７】
ユーザ情報２４は、情報処理装置２を利用するための情報であり、携帯情報端末３のユーザに関する情報である。携帯情報端末３は、このユーザ情報２４を情報処理装置２に送信することにより、情報処理装置２においてユーザ認証を行わせることができる。
【００６８】
携帯情報端末３は、電源がオンにされると、ＣＰＵ１１が自動的にオペレーティングシステム２０を読み出して実行し、それに引き続いて自動的に制御プログラム２２を読み出して実行する。その後、ＣＰＵ１１は、ユーザからのアプリケーション実行指示に基づき、ユーザによって指定されたアプリケーション２１を読み出して実行する。
【００６９】
図３は、前記のようにしてＣＰＵ１１が各アプリケーションを実行させた状態での制御部１０の機能構成の一例を示すブロック図である。
【００７０】
図３に示すように、ＣＰＵ１１がオペレーティングシステム２０、制御プログラム２２及びアプリケーション２１を実行すると、制御部１０は、オペレーティングシステム３０、接続制御部４０及びアプリケーション実行部３１として機能する。
【００７１】
オペレーティングシステム３０は、ＣＰＵ１１がオペレーティングシステム２０を実行することによって起動する処理部であり、携帯情報端末３における基本的な動作を統括的に制御するものである。接続制御部４０は、ＣＰＵ１１が制御プログラム２２を実行することによって起動する処理部である。この接続制御部４０は、オペレーティングシステム３０が起動している間、制御部１０に常駐する処理部となっている。
【００７２】
アプリケーション実行部３１は、それぞれ携帯情報端末３に対して特定のアプリケーション機能を付与する処理部である。図４に示すように、前記クラウドサービス用アプリケーションを実行するアプリケーション実行部３１をクラウドサービス用アプリケーション実行部３２といい、前記ファイル作成用アプリケーションを実行するアプリケーション実行部３１をファイル作成用アプリケーション実行部３３といい、前記撮影／再生用アプリケーションを実行するアプリケーション実行部３１を撮影／再生用アプリケーション実行部３４といい、前記遠隔操作用アプリケーションを実行するアプリケーション実行部３１を遠隔操作用アプリケーション実行部３５というものとする。
【００７３】
クラウドサービス用アプリケーション実行部３２は、ネットワーク５を介して所定のサービス提供サーバー４に接続し、携帯情報端末３においてそのクラウドサービスを利用するためのアプリケーション実行部である。ファイル作成用アプリケーション実行部３３は、サービス提供サーバー４、携帯情報端末３及び情報処理装置２に格納されているフォルダを開いて該フォルダ内の中身を閲覧可能に開示したり、ユーザからの指示に基づき該フォルダ内のファイル（データ）の編集処理を行ったりするアプリケーション実行部である。撮影／再生用アプリケーション実行部３４は、撮影部１７に撮影動作を行わせたり撮影画像を携帯情報端末３で表示したりするのに必要な各種処理を行うアプリケーション実行部である。遠隔操作用アプリケーション実行部３５は、当該携帯情報端末３を用いた情報処理装置２の遠隔操作に必要な各種処理を行うアプリケーション実行部である。
【００７４】
遠隔操作用アプリケーション実行部３５は、本発明における第１のアプリケーション実行部に相当する。前記クラウドサービス用アプリケーション実行部３２、前記ファイル作成用アプリケーション実行部３３及び前記撮影／再生用アプリケーション実行部３４は、本発明における第２のアプリケーション実行部の一例である。
【００７５】
オペレーティングシステム３０は、ユーザからの指示に基づいて各アプリケーション実行部３２，３３，３４，３５を起動させたり終了させたりすると共に、起動中のアプリケーション実行部を管理する。なお、各アプリケーション実行部３２，３３，３４，３５は、同時並行的に起動状態となることもあるが、説明の複雑化を回避する観点から、以下の説明においては、遠隔操作用アプリケーション実行部３５が起動している期間は、遠隔操作用アプリケーション実行部３５を除く他のアプリケーション実行部３２，３３，３４については、いずれか１つしか起動していないものとする。
【００７６】
また、オペレーティングシステム３０は、クラウドサービス用アプリケーション実行部３２がサービス提供サーバー４に接続してユーザ固有のアカウントにログインするための認証情報２３を管理しており、クラウドサービス用アプリケーション実行部３２が起動すると、該アプリケーション実行部３２は、オペレーティングシステム３０からその認証情報２３を読み出し、該認証情報２３を用いてユーザのアカウントにログインする。そして、クラウドサービス用アプリケーション実行部３２は、サービス提供サーバー４から取得した情報に基づいて携帯情報端末３にクラウドサービスを利用するための画面を表示する。
【００７７】
制御部１０に常駐する接続制御部４０は、クラウドサービス用アプリケーション実行部３２がネットワーク通信制御部１３を介してサービス提供サーバー４に接続するとき、それを検知する。そして、接続制御部４０は、そのクラウドサービス用アプリケーション実行部３２と、該クラウドサービス用アプリケーション実行部３２が接続するサービス提供サーバー４とを相互に関連付けて管理する。
【００７８】
その後、接続制御部４０は、遠隔操作用アプリケーション実行部３５が起動して近距離無線通信制御部１４が情報処理装置２との近距離無線通信を行うことができる状態になると、それを検知する。
【００７９】
接続制御部４０は、図３に示すように、管理部４１、接続検知部４２、アプリケーション検知部４３、アクセス情報生成部４４、ユーザ情報管理部４５、及び、情報通信部４６を備えている。
【００８０】
管理部４１は、クラウドサービス用アプリケーション実行部３２がネットワーク通信制御部１３を介してネットワーク通信を行う際、透過型プロキシとして機能する。したがって、クラウドサービス用アプリケーション実行部３２は、ネットワーク通信を行う際、管理部４１を経由してデータの送受信を行う。そして、管理部４１は、クラウドサービス用アプリケーション実行部３２がネットワーク通信を行うことを検知すると、例えばＵＲＬ（Uniform Resource Locator）などの接続先アドレスを抽出し、その接続先がサービス提供サーバー４であるか否かを判断する。
【００８１】
すなわち、携帯情報端末３において起動されるアプリケーション実行部３１の中には、ネットワーク通信を利用するがクラウドサービスを利用しないものも存在しうる状況になることを想定して、管理部４１は、クラウドサービス用アプリケーション実行部３２の接続先がサービス提供サーバー４であるか否かを判断する。その結果、接続先がサービス提供サーバー４である場合、管理部４１は、そのクラウドサービス用アプリケーション実行部３２とサービス提供サーバー４とを１対１で相互に関連付けて管理する。
【００８２】
図５は、管理部４１によって行われる処理手順の一例を示すフローチャートである。この処理は、管理部４１がクラウドサービス用アプリケーション実行部３２からネットワーク５に送出される情報を検知したときに行われる。管理部４１は、クラウドサービス用アプリケーション実行部３２によってネットワーク通信が行われることを検知すると、図５に示す処理を開始し、そのクラウドサービス用アプリケーション実行部３２から出力される情報の中から接続先のアドレスを抽出する（ステップＳ１０）。そして、管理部４１は、メモリ１２又は記憶部１８に記録して管理する管理テーブルＴＢ１を読み出し、その管理テーブルＴＢ１からクラウドサービス（サービス提供サーバー４）のアドレス一覧を取得する（ステップＳ１１）。
【００８３】
図６は、管理部４１によって管理される管理テーブルＴＢ１の一例を示す図である。この管理テーブルＴＢ１には、例えばユーザが利用する複数のクラウドサービスが登録されており、それぞれのクラウドサービスごとに、クラウドサービス名Ｄ１と、携帯情報端末３がクラウドサービスに接続する際の接続先アドレスＤ２と、情報処理装置２がサービス提供サーバー４に接続する際のアドレスである情報処理装置用アドレスＤ３と、そのクラウドサービスを利用するアプリケーションＤ４とが登録されたテーブル情報となっている。このような管理テーブルＴＢ１は、例えば制御プログラム２２のインストール時に作成される。
【００８４】
そして、ユーザが、その管理テーブルＴＢ１に対し、自身で利用するクラウドサービスに関する情報（クラウドサービス名Ｄ１、接続先アドレスＤ２及び情報処理装置用アドレスＤ３）を予め登録しておく。接続先アドレスＤ２は、例えばクラウドサービスを利用する際のＷｅｂページのうち、トップページへアクセスするためのアドレスである。また、情報処理装置用アドレスＤ３は、例えばクラウドサービスを利用する際のＷｅｂページのうち、ユーザ固有のアカウントに直接アクセスするためのアドレスである。ただし、クラウドサービスがユーザ固有のアカウントに対して直接アクセスすることを受け付けない場合には情報処理装置用アドレスＤ３を登録しておく必要はない。
【００８５】
図５に戻り、管理部４１は、前記のような管理テーブルＴＢ１から接続先アドレスＤ２の一覧を取得し、クラウドサービス用アプリケーション実行部３２の接続先がサービス提供サーバー４であるか否かを判断する（ステップＳ１２）。つまり、ここでは、クラウドサービス用アプリケーション実行部３２の出力情報から抽出した接続先アドレスが、接続先アドレスＤ２の一覧に登録されているか否かを判別する。その結果、クラウドサービス用アプリケーション実行部３２の接続先がサービス提供サーバー４でない場合（ステップＳ１２でＮＯ）、管理部４１による処理は終了する。
【００８６】
一方、クラウドサービス用アプリケーション実行部３２の接続先がサービス提供サーバー４である場合（ステップＳ１２でＹＥＳ）、管理部４１は、クラウドサービス用アプリケーション実行部３２からの出力情報に基づいて、クラウドサービス用アプリケーション実行部３２がネットワーク通信を行うために使用しているポート番号を検出する（ステップＳ１３）。ネットワーク通信を利用するアプリケーション実行部３１が使用するポート番号はオペレーティングシステム３０によって個別に割り当てられている。そして、管理部４１は、オペレーティングシステム３０からクラウドサービス用アプリケーション実行部３２が使用しているポート番号一覧を取得し（ステップＳ１４）、ステップＳ１３で検出したポート番号に基づき、クラウドサービスに接続しようとしているクラウドサービス用アプリケーション実行部３２を特定する（ステップＳ１５）。そして、管理部４１は、特定したクラウドサービス用アプリケーション実行部３２を管理テーブルＴＢ１のアプリケーションＤ４に記録することにより、管理テーブルＴＢ１においてクラウドサービス用アプリケーション実行部３２とサービス提供サーバー４とを１対１で相互に関連付けて登録する（ステップＳ１６）。
【００８７】
図３に戻り、接続検知部４２は、遠隔操作用アプリケーション実行部３５が起動されて近距離無線通信制御部１４を介して情報処理装置２との近距離無線通信が可能な接続状態であることを検知する処理部である。上述したように、近距離無線通信制御部１４は、遠隔操作用アプリケーション実行部３５が起動されて携帯情報端末３と情報処理装置２との間で近距離無線通信を行うことができる状態になると、それを自動検知し、制御部１０に通知する。接続検知部４２は、この通知を受けることにより、情報処理装置２との近距離無線通信が可能な接続状態であることを検知する。
【００８８】
そして、接続検知部４２が情報処理装置２との接続状態を検知すると、接続制御部４０においてアプリケーション検知部４３、アクセス情報生成部４４及び情報通信部４６が順次機能する。なお、ユーザ情報管理部４５は、情報処理装置２を利用するためのユーザ情報２４を例えば記憶部１８に記録した状態で管理する処理部である。
【００８９】
アプリケーション検知部４３は、制御部１０において起動中のアプリケーション実行部３１を検知する処理部である。このアプリケーション検知部４３は、接続検知部４２によって情報処理装置２との接続状態が検知されると、オペレーティングシステム３０に対して現在起動中のアプリケーション実行部３１を問い合わせる。オペレーティングシステム３０は、アプリケーション検知部４３からの問い合わせがあると、現在起動中のアプリケーション実行部３１の有無、及び、起動しているアプリケーション実行部３１が存在する場合のそのアプリケーション実行部３１をアプリケーション検知部４３に通知する。
【００９０】
アクセス情報生成部４４は、アプリケーション検知部４３によって起動中のアプリケーション実行部３１が検知されると、情報処理装置２がアクセスすべき対象のアドレス（アクセス先）を示すアクセス情報を生成する。
【００９１】
起動中のアプリケーション実行部３１がクラウドサービス用アプリケーション実行部３２である場合、アクセス情報生成部４４は、管理部４１によって管理されている管理テーブルＴＢ１を読み出す。そして、アクセス情報生成部４４は、その管理テーブルＴＢ１を参照することにより、クラウドサービス用アプリケーション実行部３２によって利用されるクラウドサービスを特定する。
【００９２】
そして、アクセス情報生成部４４は、特定したサービス提供サーバー４に対して情報処理装置２が接続するためのアクセス情報を生成する。アクセス情報は、情報処理装置２がネットワーク５を介して直接サービス提供サーバー４に直接接続してクラウドサービスを利用するためのＵＲＬなどのアドレスである。つまり、アクセス情報生成部４４は、管理テーブルＴＢ１において、特定したクラウドサービスに対する情報処理装置用アドレスＤ３が登録されていれば、それを読み出してアクセス情報を生成する。また、特定したクラウドサービスに対する情報処理装置用アドレスＤ３が登録されていない場合には、特定したクラウドサービスに対する接続先アドレスＤ２を読み出してアクセス情報を生成する。
【００９３】
一方、起動中のアプリケーション実行部３１がファイル作成用アプリケーション実行部３３であり、ファイル作成用アプリケーション実行部３３によりフォルダが開かれている場合、アクセス情報生成部４４は、現在開かれているフォルダのアドレスをアクセス情報として生成する。
【００９４】
また、起動中のアプリケーション実行部３１が撮影／再生用アプリケーション実行部３４であり、且つ、携帯情報端末３が撮影画像を再生する再生モードである場合には、アクセス情報生成部４４は、現在携帯情報端末３に表示している撮影画像を示す画像ファイルのアドレスをアクセス情報として生成する。
【００９５】
情報通信部４６は、近距離無線通信制御部１４を介して情報処理装置２に対して情報を送信する処理部である。この情報通信部４６は、アクセス情報生成部４４によってアクセス情報が生成されると、そのアクセス情報を取得する。また、情報通信部４６は、ユーザ情報管理部４５によって管理されているユーザ情報２４を取得する。
【００９６】
さらに、情報通信部４６は、取得したアクセス情報がクラウドサービスに対して情報処理装置２が接続するためのアクセス情報である場合、アクセス情報生成部４４によって特定されたクラウドサービスに接続するクラウドサービスを利用するための認証情報２３をオペレーティングシステム３０から取得する。
【００９７】
そして、情報通信部４６は、アクセス情報、認証情報２３及びユーザ情報２４を近距離無線通信制御部１４に出力することにより、それらの情報を情報処理装置２へ送信する。
【００９８】
これにより、情報処理装置２は、クラウドサービスを利用するべくネットワーク通信を行う際の接続先や、情報処理装置２で得られた例えばスキャン画像ファイル等のファイルにアクセスする際のそのファイルのアドレス、或いは、携帯情報端末３で現在再生している撮影画像を示す画像ファイルのアドレスを取得することができる。
【００９９】
また、情報通信部４６が認証情報２３を情報処理装置２へ送信することにより、情報処理装置２はクラウドサービスへ接続することに伴い、その認証情報２３を用いてクラウドサービスにおけるユーザ固有のアカウントに自動ログインすることができる。さらに、情報通信部４６がユーザ情報２４を送信することにより、情報処理装置２はそのユーザ情報２４に基づいてユーザ認証を行うことができる。
【０１００】
さらに、情報通信部４６は、情報処理装置２から送信される画面データや、入力操作部１６に対する操作を示す操作情報も情報処理装置２との間で送受信を行う。
【０１０１】
図７は、接続検知部４２、アプリケーション検知部４３、アクセス情報生成部４４及び情報通信部４６によって行われる一連の処理手順の一例を示すフローチャートである。この処理は、接続検知部４２が情報処理装置２との接続状態を検知することにより、接続制御部４０において開始される処理である。
【０１０２】
遠隔操作用アプリケーション実行部３５の起動により情報処理装置２との間で通信可能に接続されると（ステップＳ２０）、アプリケーション検知部４３は、オペレーティングシステム３０に対し、遠隔操作用アプリケーション実行部３５以外で現在起動中のアプリケーション実行部３１があるか否かを問い合わせる（ステップＳ２１）。そのようなアプリケーション実行部３１がある場合には（ステップＳ２２でＹＥＳ）、アプリケーション検知部４３は、オペレーティングシステム３０からの通知に基づき、起動中のアプリケーション実行部３１を特定する（ステップＳ２３）。
【０１０３】
その特定されたアプリケーション実行部３１がクラウドサービス用アプリケーション実行部３２である場合には（ステップＳ２４でＹＥＳ）、アクセス情報生成部４４は、管理テーブルＴＢ１を読み出し（ステップＳ２５）、前記クラウドサービス用アプリケーション実行部３２が利用するクラウドサービスを特定する（ステップＳ２６）。そして、アクセス情報生成部４４は、情報処理装置２がそれと同じクラウドサービスへ直接接続するためのアクセス情報を生成する（ステップＳ２７）。また、情報通信部４６は、オペレーティングシステム３０からクラウドサービス用アプリケーション実行部３２に対応するクラウドサービスの利用に必要な認証情報２３を取得する（ステップＳ２８）。
【０１０４】
一方、ステップＳ２３で特定されたアプリケーション実行部３１がクラウドサービス用アプリケーション実行部３２ではなく（ステップＳ２４でＮＯ）、ファイル作成用アプリケーション実行部３３である場合には（ステップＳ２９でＹＥＳ）、アクセス情報生成部４４は、現在開かれているフォルダのアドレスをアクセス情報として生成する（ステップＳ３０）。
【０１０５】
また、ステップＳ２３で特定されたアプリケーション実行部３１が撮影／再生用アプリケーション実行部３４である場合には（ステップＳ２９でＮＯ）、アクセス情報生成部４４は、現在携帯情報端末３に表示している撮影画像を示す画像ファイルのアドレスをアクセス情報として生成する（ステップＳ３１）。
【０１０６】
ステップＳ２８、Ｓ３０又はＳ３１の処理後、情報通信部４６は、ユーザ情報管理部４５によって管理されているユーザ情報２４を取得する（ステップＳ３２）。そして、接続制御部４０は、近距離無線通信制御部１４を介してそれらの取得した情報を情報処理装置２へ送信する（ステップＳ３３）。
【０１０７】
これにより、接続制御部４０は、ユーザによる操作を介することなく、情報処理装置２にユーザ認証を行わせることができる。
【０１０８】
一方、オペレーティングシステム３０に対し、現在起動中のアプリケーション実行部３１の有無を問い合わせた結果、起動中のアプリケーション実行部３１がない場合（ステップＳ２２でＮＯ）、遠隔操作用アプリケーション実行部３５は、後述する手動設定処理を行う（ステップＳ３４）。
【０１０９】
図８は、アプリケーション実行部３１と、表示部１５、入力操作部１６及び接続制御部４０との関係を説明するための図である。
【０１１０】
図８に示すように、各アプリケーション実行部３１（３２，３３，３４，３５）は、操作情報生成部３１１と、表示制御部３１２とを備えている。操作情報生成部３１１及び表示制御部３１２は、それぞれ、入力操作部１６及び接続制御部４０との間でデータの送受信を行う。
【０１１１】
操作情報生成部３１１は、入力操作部１６に対して操作が行われた場合にその操作内容を示す操作情報を生成する。表示制御部３１２は、当該アプリケーション実行部３１に固有の表示画面を生成して表示部１５に表示する。すなわち、クラウドサービス用アプリケーション実行部３２の表示制御部３１２は、サービス提供サーバー４との間で通信を行うために必要となる各種事項を表示したり入力を受け付けたりするクラウドサービス画面（図９（ａ）参照）を生成して表示部１５に表示する。ファイル作成用アプリケーション実行部３３の表示制御部３１２は、サービス提供サーバー４や携帯情報端末３のフォルダに保存されているファイル一覧画面（図９（ｂ）参照）や特定のファイルを開いた画面（図示せず）を生成して表示部１５に表示する。撮影／再生用アプリケーション実行部３４の表示制御部３１２は、ライブビューや撮影した画像等を表示する画面を生成して表示部１５に表示する。
【０１１２】
遠隔操作用アプリケーション実行部３５の表示制御部３１２は、初期画面として例えば図９（ｄ）に示すような初期画面Ｇ４を表示する。この初期画面Ｇ４には、当該携帯情報端末３と情報処理装置２とを通信可能に接続する指示を入力するための「接続」キーＫ０を有しており、「接続」キーＫ０が操作された場合に、携帯情報端末３が情報処理装置２と接続するための処理が開始される。
【０１１３】
そして、遠隔操作用アプリケーション実行部３５の表示制御部３１２は、携帯情報端末３と情報処理装置２とが通信可能に接続されると、情報処理装置２から操作画面が送信されてくるので、その操作画面を表示部１５に表示する。すなわち、携帯情報端末３と情報処理装置２とが通信可能に接続された後は、情報処理装置２の操作パネル８に表示される操作画面と同一の操作画面が携帯情報端末３にも表示されることとなる。
【０１１４】
これにより、情報処理装置２で見慣れた、若しくは使い慣れた操作画面を携帯情報端末３でも使用することができ、情報処理装置２の操作パネル８で表示する操作画面と異なる操作画面を携帯情報端末３に表示する場合に比して、操作性の低下がほとんどない。
【０１１５】
図１０は、遠隔操作用アプリケーション実行部３５が情報処理装置２から画面データを受信した場合の処理を示すフローチャートである。
【０１１６】
図１０に示すように、遠隔操作用アプリケーション実行部３５が情報処理装置２から操作画面を示す画面データを受信すると（ステップＳ４１でＹＥＳ）、表示制御部３１２は、その画面データに基づき表示部１５に操作画面を表示する（ステップＳ４２）。
【０１１７】
そして、表示部１５に表示した操作画面に対して操作が行われると（ステップＳ４３でＹＥＳ）、操作情報生成部３１１は、その操作を示す操作情報を生成し、情報通信部４６を介して情報処理装置２に送信する（ステップＳ４４）。
【０１１８】
図１１は、ステップＳ３４の手動設定処理を示すフローチャートである。
図１１に示すように、遠隔操作用アプリケーション実行部３５の表示制御部３１２は、例えば図１２に示すような手動設定画面Ｇ５を表示するべく、該手動設定画面Ｇ５を情報処理装置２に要求する（ステップＳ５０）。
【０１１９】
図１２は、手動設定画面Ｇ５の一例を示す図である。図１２に示す手動設定画面Ｇ５は、ユーザ名、パスワード、ＩＰアドレス、情報処理装置２がアクセスすべきＵＲＬの入力が可能な画面となっている。そして、「ＯＫ」キーＫ１に対して操作が行われると、当該手動設定画面Ｇ５に対する一連の操作が完了した旨が入力され、該手動設定画面Ｇ５で入力された操作情報が情報処理装置２に送信されるまで携帯情報端末３の記憶部１８に一時的に記憶されるとともに該手動設定画面Ｇ５の表示が終了する。
【０１２０】
図１１に戻り、このような手動設定画面Ｇ５を示す画面データを情報処理装置２から受信すると（ステップＳ５１でＹＥＳ）、該手動設定画面Ｇ５を表示する（ステップＳ５２）。これにより、ユーザは、前記各項目について入力が可能となる。そして、ユーザにより前記「ＯＫ」キーＫ１が操作され該手動設定画面Ｇ５に対する操作が完了した旨の入力が行われると（ステップＳ５３でＹＥＳ）、ステップＳ３２の処理に移行する。
【０１２１】
次に、情報処理装置２について説明する。図１３は、情報処理装置２のハードウェア構成の一例を示す図である。図１３に示す情報処理装置２は、上述したスキャナ部６及びプリンタ部７の他に、操作パネル８と、制御部５０と、近距離無線通信制御部５１と、ネットワーク通信制御部５２と、記憶装置５３とを備えて構成される。
【０１２２】
操作パネル８は、表示部８１及び入力操作部８２を備える。表示部８１は、例えばカラー液晶ディスプレイなどで構成され、情報処理装置２のユーザに対し、種々の操作指令を入力するための操作キーを含む各種操作画面や画像ファイルに基づく印刷の結果を予め示したプレビューなどの各種情報を表示する。
【０１２３】
入力操作部１６は、各種の機械的な操作キーや表示部１５の表示画面上に配置されるタッチパネルセンサーなどで構成され、情報処理装置２のユーザから操作入力を受け付ける。前記機械的な操作キーとしては、例えば、前記スキャン機能やプリント機能等の実行開始指示を入力するためのスタートキーや、印刷枚数等の実行条件を入力するためのテンキー等がある。
【０１２４】
制御部５０は、携帯情報端末３の場合と同様に、図示しないＣＰＵやメモリを備えて構成される。そして、そのＣＰＵが所定のアプリケーションを実行することにより、制御部５０は、接続検知部６１、情報通信部６２、ユーザ認証部６３、接続先設定部６４、データ処理部６５、ジョブ制御部６６及び操作画面生成部６７として機能する。制御部５０の詳細な説明は後述する。
【０１２５】
近距離無線通信制御部５１は、制御部５０が携帯情報端末３との間で近距離無線通信を行う場合にその通信制御を行う処理部である。この近距離無線通信制御部５１は、携帯情報端末３との間で近距離無線通信を行うことができる状態になると、それを自動検知し、制御部５０に通知する。
【０１２６】
また、ネットワーク通信制御部１３は、制御部５０がネットワーク５を介してデータ通信を行う場合にその通信制御を行う処理部である。情報処理装置２がネットワーク５を介してサービス提供サーバー４に接続する場合、このネットワーク通信制御部５２を介してデータの送受信が行われる。
【０１２７】
記憶装置５３は、ハードディスクドライブ（ＨＤＤ）などで構成される不揮発性の記憶装置である。この記憶装置５３には、例えば情報処理装置２を使用することが予め許可されたユーザに関する情報が登録されたユーザ登録情報５４が記憶されている。このユーザ登録情報５４には、例えばユーザＩＤやパスワードなど、ユーザを特定することができる情報が登録されている。ただし、このユーザ登録情報５４は記憶装置５３ではなく、別のサーバーなどに記憶されていても良い。また、記憶装置５３には、文書ファイル５９などを記憶する記憶領域として、少なくとも１つのＢＯＸ５５が設けられている。ＢＯＸ５５は、ユーザによってＢＯＸ機能が選択された場合に各種データを記憶しておくための記憶領域である。
【０１２８】
次に、制御部５０において機能する各処理部について説明する。接続検知部６１は、情報処理装置２に電源が投入されている間、制御部５０に常駐する。そして、接続検知部６１は、近距離無線通信制御部５１を介して携帯情報端末３との近距離無線通信が可能な接続状態となったことを検知する。情報通信部６２、ユーザ認証部６３及び接続先設定部６４は、接続検知部６１によって携帯情報端末３との接続状態が検知されると、順次機能する。
【０１２９】
情報通信部６２は、携帯情報端末３との間で近距離無線通信により授受される各種情報を送受信する処理部である。上述したように、携帯情報端末３は、情報処理装置２との間での近距離無線通信が可能になると、アクセス情報と、認証情報２３（図２参照）と、ユーザ情報２４（図２参照）とを送信する。情報通信部６２は、それらの情報を受信し、アクセス情報と、認証情報２３と、ユーザ情報２４とのそれぞれを選別する。また、情報通信部６２は、後述する操作画面生成部６７で生成される操作画面を示す画面データを携帯情報端末３に送信する。
【０１３０】
ユーザ認証部６３は、情報通信部６２によって選別されたユーザ情報２４だけを取得し、携帯情報端末３を使用しているユーザのユーザ認証を行う。すなわち、ユーザ認証部６３は、記憶装置５３からユーザ登録情報５４を読み出し、そのユーザ登録情報５４の中に、ユーザ情報２４と一致する情報が登録されているか否かを判別することにより、ユーザ認証を行う。その結果、ユーザ認証に成功すると、ユーザ認証部６３は携帯情報端末３を使用しているユーザをログインユーザとして情報処理装置２をログイン状態へと移行させる。これにより、携帯情報端末３を使用しているユーザは、情報処理装置２に各種のジョブを実行させることができるようになる。また、ユーザ認証部６３は、ユーザ認証に成功すると、接続先設定部６４を機能させる。
【０１３１】
接続先設定部６４は、情報通信部６２によって選別されたアクセス情報と認証情報２３とを取得する。そして、接続先設定部６４は、それらの情報をデータ処理部６５へ出力することにより、携帯情報端末３においてアプリケーション実行部３１が接続するサービス提供サーバー４と同一のサービス提供サーバー４へ接続するための接続先を予めデータ処理部６５に設定する。
【０１３２】
データ処理部６５は、ネットワーク通信制御部５２を介してネットワーク通信を行う。つまり、データ処理部６５は、ネットワーク５を介して外部の装置との間でデータの送受信を行う。このデータ処理部６５は、情報処理装置２がログイン状態へと移行することに伴い、接続先設定部６４から入力するアクセス情報７１に基づき、予めネットワーク５を介して接続すべき対象（接続先）を設定する。例えば、データ処理部６５には、ネットワーク通信を行う場合の接続先に関するデフォルト値が予め設定されているが、そのデフォルト値を接続先設定部６４から入力するアクセス情報７１が示す接続先に書き換える。また、データ処理部６５は、接続先設定部６４から入力する認証情報２３を保持しておく。
【０１３３】
また、データ処理部６５は、アクセス情報７１に基づいて接続先へアクセスする時には、その接続先に認証情報２３を同時又は略同時に送信するように構成される。したがって、データ処理部６５は、ネットワーク通信を開始するとき、携帯情報端末３において起動しているアプリケーション実行部３１が接続するクラウドサービスと同じクラウドサービスに接続できる状態とすることができると共に、ユーザのアカウントに対して自動ログインすることができるようになる。
【０１３４】
ジョブ制御部６６は、情報処理装置２がログイン状態へと移行することに伴って機能する。このジョブ制御部６６は、後述するように、操作パネル８や携帯情報端末３に対して行われるユーザの指示操作に基づき、ユーザによって指定されたジョブの実行を制御する処理部である。このジョブ制御部６６は、スキャナ部６に原稿の読み取り動作を行わせてスキャン画像ファイルを取得したり、プリンタ部７に画像データを出力して印刷出力を行わせたりする。
【０１３５】
また、ジョブ制御部６６は、ＢＯＸ５５に対して文書ファイル５９などを格納したり、又はＢＯＸ５５に格納されている文書ファイル５９を読み出したりする。さらに、このジョブ制御部６６は、データ処理部６５に対して画像データなどを出力することにより、そのデータをネットワーク５経由で外部の装置に送信したり、或いは、データ処理部６５に対して画像データなどを取得したりする指示を行うことにより、そのデータをネットワーク５経由で外部の装置から取得することも可能である。
【０１３６】
操作画面生成部６７は、操作パネル８の表示部８１及び携帯情報端末３の表示部１５に表示すべき表示画面を生成するものである。操作画面生成部６７は、情報処理装置２が携帯情報端末３との間で近距離無線通信が可能に接続されていない場合には、例えば図１４に示すような通常の操作画面を生成して表示部１５にのみ表示させる。
【０１３７】
そして、情報処理装置２が携帯情報端末３との間で近距離無線通信が可能に接続され、携帯情報端末３からアクセス情報７１を受信すると、操作画面生成部６７は、そのアクセス情報７１が示すアクセス先（接続先）に関する操作画面を新たに生成する。
【０１３８】
例えば、操作画面生成部６７は、前記アクセス情報７１が示す接続先がサービス提供サーバー４である場合、そのサービス提供サーバー４と前記情報処理装置２との間で直接通信を行わせる指示を入力するための短縮キー（ショートカットキー）Ｋ２を、前記アクセス情報７１を受信する直前まで操作パネル８に表示していた操作画面に追加した画面を、新たな操作画面として生成する（図１５参照）。
【０１３９】
また、同様に、操作画面生成部６７は、前記アクセス情報７１が示すアクセス先がファイル作成用アプリケーション実行部３３で開かれているフォルダである場合、情報処理装置２にそのフォルダへ直接アクセスさせる指示を入力するための短縮キーを、前記アクセス情報７１を受信する直前まで操作パネル８に表示していた操作画面に追加した画面を、新たな操作画面として生成する。
【０１４０】
また、操作画面生成部６７は、前記アクセス情報７１が示すアクセス先が、ファイル作成用アプリケーション実行部３３又は撮影／再生用アプリケーション実行部３４で開かれている文書ファイルや画像ファイルである場合、情報処理装置２がこれらのファイルにアクセスして該ファイルを取得すると、前記アクセス情報を受信する直前まで操作パネル８に表示していた操作画面に、前記ファイルに基づく文書や撮影画像のプレビューＰＶと、その文書や撮影画像の印刷指示を入力するための短縮キーＫ３とを追加した画面を、新たな操作画面として生成する（図１６参照）。
【０１４１】
図１７〜図１９は、情報処理装置２において行われる処理手順の一例を示すフローチャートである。情報処理装置２は、携帯情報端末３との近距離無線通信が可能な状態になったか否かを常時監視しており（ステップＳ６０）、携帯情報端末３との近距離無線通信が可能になると（ステップＳ６０でＹＥＳ）、携帯情報端末３から送信される情報を受信する（ステップＳ６１）。このとき受信する情報には、ユーザ情報２４が含まれる。情報処理装置２は、そのユーザ情報２４をユーザ登録情報５４と照合することによりユーザ認証処理を行う（ステップＳ６２）。そして、情報処理装置２は、ユーザ認証において認証成功となったか否かを判断する（ステップＳ６３）。ユーザ認証で認証失敗となった場合（ステップＳ６３でＮＯ）、情報処理装置２は、ログイン状態へと移行させることなく、この処理を終了させる。
【０１４２】
一方、ユーザ認証で認証成功となった場合（ステップＳ６３でＹＥＳ）、情報処理装置２は、装置の動作状態をログイン状態へと移行させる。そして、情報処理装置２は、携帯情報端末３から受信した情報にアクセス情報７１が含まれているか否かを判断する（ステップＳ６４）。その結果、アクセス情報７１が含まれている場合（ステップＳ６４でＹＥＳ）、情報処理装置２は、前記アクセス情報７１はサービス提供サーバー４であるか否かを判断する（ステップＳ６５）。
【０１４３】
サービス提供サーバー４である場合には（ステップＳ６５でＹＥＳ）、そのアクセス情報７１に基づいてネットワーク通信を行う際の接続先を設定するとともに、図１５に示すような短縮キーＫ２を含む操作画面Ｇ７を生成する（ステップＳ６６）。そして、その操作画面Ｇ７を操作パネル８に表示するとともに、該操作画面Ｇ７の画面データを携帯情報端末３に送信する（ステップＳ６７）。
【０１４４】
その後、情報処理装置２は、ログインユーザからの動作指示を検知すると（ステップＳ６８でＹＥＳ）、その動作指示が前記短縮キーＫ２の操作に対応する動作指示であるか否かを判断する（ステップＳ６９）。その結果、前記短縮キーＫ２の操作に対応する動作指示でない場合には（ステップＳ６９でＮＯ）、指示された動作を実行する（ステップ７４）。
【０１４５】
一方、ステップＳ６８で検知した前記動作指示が前記短縮キーＫ２の操作に対応する動作指示である場合には（ステップＳ６９でＹＥＳ）、予め設定しておいた接続先へネットワーク５を介して接続する（ステップＳ７０）。これに伴い、情報処理装置２は、携帯情報端末３からアクセス情報７１と共に受信して保持している認証情報２３を用いてその接続先にログインする（ステップＳ７１）。
【０１４６】
すなわち、情報処理装置２は、近距離無線通信が可能である携帯情報端末３において起動しているクラウドサービス用アプリケーション実行部３２が利用するサービス提供サーバー４と同じサービス提供サーバー４に対してログインする。したがって、ユーザにとっては、情報処理装置２に対してアクセス情報７１や認証情報２３を手動入力する手間がかからず、情報処理装置２の操作性が向上する。
【０１４７】
情報処理装置２は、クラウドサービスへログインすると、ログインユーザからの指示に基づき、その接続先であるサービス提供サーバー４との間でデータ送受信を開始する（ステップＳ７２）。つまり、情報処理装置２は、ログインユーザからの指示に基づいてサービス提供サーバー４へファイル（データ）をアップロードしたり、或いは、サービス提供サーバー４で保持されているファイル（データ）をダウンロードしたりするためのデータ通信を開始する。このとき、情報処理装置２は、ログインユーザからの指示に基づいてスキャン機能やプリント機能などを動作させることにより、ログインユーザによって指定されたジョブを実行する。そして、データの送受信が終了すると（ステップＳ７３でＹＥＳ）、情報処理装置２は、ログインユーザからの指示に基づいて動作状態をログイン状態からログアウト状態へと戻し、この処理を終了する。
【０１４８】
一方、ユーザ認証で認証成功となり、ログイン状態へと移行させたタイミングで、携帯情報端末３から受信した情報にアクセス情報７１が含まれていなかった場合（ステップＳ６４でＮＯ）、情報処理装置２は、図１２に示すような手動設定画面Ｇ５を生成し（ステップＳ７５）、該手動設定画面Ｇ５を操作パネル８に表示するとともに該手動設定画面Ｇ５の画面データを携帯情報端末３に送信し（ステップＳ７６）、ステップＳ６４の処理に戻る。この場合、ログインユーザが情報処理装置２を例えばサービス提供サーバー４に接続させたい場合には例えば操作パネル８や携帯情報端末３に対する手動操作を行って、情報処理装置２に対しアクセス情報７１等を入力することが必要となる。
【０１４９】
ステップＳ６５において前記アクセス情報７１がサービス提供サーバー４を示しているのではなく（ステップＳ６５でＮＯ）、フォルダのアドレスを示している場合には（ステップＳ７７でＹＥＳ）、そのアクセス情報７１に基づいて短縮キーを含む操作画面を生成する（ステップＳ７８）。そして、その操作画面を操作パネル８に表示するとともに、該操作画面の画面データを携帯情報端末３に送信する（ステップＳ７９）。
【０１５０】
その後、情報処理装置２は、ログインユーザからの動作指示を検知すると（ステップＳ８０でＹＥＳ）、その動作指示が前記短縮キーの操作に対応する動作指示であるか否かを判断する（ステップＳ８１）。その結果、前記短縮キーの操作に対応する動作指示でない場合には（ステップＳ８１でＮＯ）、指示された動作を実行する（ステップ８３）。
【０１５１】
一方、ステップＳ８０で検知した前記動作指示が前記短縮キーの操作に対応する動作指示である場合には（ステップＳ８１でＹＥＳ）、情報処理装置２は、所定のファイル（ここではスキャン画像ファイルとする）を前記フォルダに格納するべく、該スキャン画像ファイルを携帯情報端末３に送信し（ステップＳ８２）、ログインユーザからの指示に基づいて動作状態をログイン状態からログアウト状態へと戻し、この処理を終了する。
【０１５２】
ステップＳ７７において前記アクセス情報７１がフォルダのアドレスを示すものでもなく、撮影画像を示す画像ファイルのアドレスを示している場合には（ステップＳ７７でＮＯ）、そのアクセス情報７１が示すアドレスの画像ファイルを携帯情報端末３に要求する（ステップＳ８４）。
【０１５３】
そして、情報処理装置２は、要求した画像ファイルを携帯情報端末３から受信すると（ステップＳ８５）、例えば図１６に示すような撮影画像のプレビューＰＶ及び短縮キーＫ３を含む操作画面Ｇ８を生成する（ステップＳ８６）。そして、その操作画面Ｇ８を操作パネル８に表示するとともに、該操作画面Ｇ８の画面データを携帯情報端末３に送信する（ステップＳ８７）。
【０１５４】
その後、情報処理装置２は、ログインユーザからの動作指示を検知すると（ステップＳ８８でＹＥＳ）、その動作指示が前記短縮キーＫ３の操作に対応する動作指示であるか否かを判断する（ステップＳ８９）。その結果、前記短縮キーＫ３の操作に対応する動作指示でない場合には（ステップＳ８９でＮＯ）、指示された動作を実行する（ステップ９１）。
【０１５５】
一方、ステップＳ８８で検知した前記動作指示が前記短縮キーＫ３の操作に対応する動作指示である場合には（ステップＳ８９でＹＥＳ）、情報処理装置２は、受信した画像ファイルに基づく前記撮影画像を印刷する（ステップＳ９０）。
【０１５６】
以上のように、情報処理システム１においては、携帯情報端末３は、遠隔操作用アプリケーション実行部３５が起動されると、その時点で起動している他のアプリケーション実行部３１を特定する。そして、その特定したアプリケーション実行部３１がクラウドサービス用アプリケーション実行部３２である場合は、情報処理装置２がそのクラウドサービス用アプリケーション実行部３２が利用するサービス提供サーバー４の接続先を示すアクセス情報７１を携帯情報端末３が生成し、そのアクセス情報７１を情報処理装置２に送信する。
【０１５７】
情報処理装置２は、携帯情報端末３から送信されるアクセス情報７１に基づき、前記アクセス情報７１が示す接続先であるサービス提供サーバー４と前記情報処理装置２との間で通信を行わせる指示を入力するための短縮キーＫ２を含む操作画面Ｇ７（図１５参照）を生成し、該操作画面Ｇ７を示す画面データを携帯情報端末３に送信する。そして、情報処理装置２は、その短縮キーＫ２に対して操作が行われたことを示す操作情報を携帯情報端末３から受信すると、その接続先に基づいてネットワーク５を介してサービス提供サーバー４に接続し、そのサービス提供サーバー４との間でデータ（ファイル）の送受信を行う。
【０１５８】
このように、本実施形態では、各ユーザが利用するクラウドサービスに関する情報などを情報処理装置２に対して予め登録しておく必要がない。すなわち、各ユーザは、情報処理装置２を直接サービス提供サーバー４に接続して情報処理装置２とサービス提供サーバー４との間で直接データ（ファイル）の送受信を行わせたい場合、自身が普段使用している携帯情報端末３でサービス提供サーバー４に接続するためのクラウドサービス用アプリケーション実行部３２を起動し、携帯情報端末３と情報処理装置２との間で通信を行わせるべく、携帯情報端末３に表示された短縮キーＫ２を操作すれば良い。
【０１５９】
それ故、本実施形態では、ユーザは短縮キーＫ２の操作という簡単な操作を行うだけで、情報処理装置２とサービス提供サーバー４との間で直接データの送受信を行わせることができるため、ユーザが情報処理装置２をサービス提供サーバー４に直接接続する際の操作性が改善される。
【０１６０】
また、遠隔操作用アプリケーション実行部３５が起動された時点で起動している他のアプリケーション実行部３１がファイル作成用アプリケーション実行部３３である場合に、携帯情報端末３は、ファイル作成用アプリケーション実行部３３でフォルダが開かれているときには、携帯情報端末３は、そのフォルダのアドレスをアクセス情報７１として生成し、そのアクセス情報７１を情報処理装置２に送信する。
【０１６１】
情報処理装置２は、携帯情報端末３から送信されるアクセス情報７１に基づき、該アクセス情報７１が示すアクセス先であるフォルダにファイル（例えばスキャン画像ファイル）の送信を行わせる指示を入力するための短縮キーを含む操作画面を生成し、該操作画面を携帯情報端末３に送信する。そして、情報処理装置２は、その短縮キーに対して操作が行われたことを示す操作情報を携帯情報端末３から受信すると、そのフォルダにアクセスし、そのフォルダにファイルの送信を行う。
【０１６２】
これにより、ファイルを格納したいフォルダのアクセス情報などを情報処理装置２に対して予め登録しておく必要がない。すなわち、各ユーザは、情報処理装置２を用いて生成したスキャン画像ファイル等のファイルを携帯情報端末３の所望のフォルダに送信・格納したい場合、自身が普段使用している携帯情報端末３でファイル作成用アプリケーション実行部３３を起動し、携帯情報端末３と情報処理装置２との間でファイルの送受信を行わせるべく、携帯情報端末３に表示された短縮キーを操作すれば良い。
【０１６３】
それ故、本実施形態では、ユーザは短縮キーの操作という簡単な操作を行うだけで、情報処理装置２が保有するファイルを携帯情報端末３の所望のフォルダに送信させることができるため、ファイル作成用アプリケーション実行部３３に対して行った、前記ファイルの送信先を指定する（前記所望のフォルダを指定する）などの操作を繰り返し行う必要がなくなり、情報処理装置２が保有するファイルを携帯情報端末３の所望のフォルダに送信・格納する際の操作性が改善される。
【０１６４】
また、遠隔操作用アプリケーション実行部３５が起動された時点で起動している他のアプリケーション実行部３１が撮影／再生用アプリケーション実行部３４である場合、携帯情報端末３は、撮影／再生用アプリケーション実行部３４によって再生している画像ファイルのアドレスをアクセス情報７１として生成し、そのアクセス情報７１を情報処理装置２に送信する。
【０１６５】
情報処理装置２は、携帯情報端末３から送信されるアクセス情報７１が示すアクセス先にアクセスして前記画像ファイルを取得し、画像ファイルに基づくプレビューＰＶと、その画像ファイルに基づく印刷を行わせる指示を入力するための短縮キーＫ３を含む操作画面Ｇ８（図１６参照）を生成し、該操作画面Ｇ８を携帯情報端末３に送信する。そして、情報処理装置２は、その短縮キーＫ３に対して操作が行われたことを示す操作情報を携帯情報端末３から受信すると、その画像ファイルに基づく印刷を行う。
【０１６６】
これにより、印刷した撮影画像の画像ファイルの送信先を情報処理装置２として設定する操作を行う必要がない。すなわち、各ユーザは、携帯情報端末３を用いて撮影した画像を情報処理装置２で印刷させたい場合、自身が普段使用している携帯情報端末３で撮影／再生用アプリケーション実行部３４を起動し、携帯情報端末３と情報処理装置２との間で通信を行わせるべく、携帯情報端末３に表示された短縮キーＫ３を操作すれば良い。
【０１６７】
それ故、本実施形態では、ユーザは短縮キーＫ３の操作という簡単な操作を行うだけで、携帯情報端末３で撮影した画像を、情報処理装置２を用いて印刷することができるため、撮影／再生用アプリケーション実行部３４に対して行った、印刷対象の画像ファイルを指定するなどの操作を繰り返しする必要がなくなり、携帯情報端末３を用いて撮影した画像を情報処理装置２で印刷させる際の操作性が改善される。
【０１６８】
以上、本発明に関する好ましい実施形態について説明したが、本発明は上述した内容のものに限られるものではなく、種々の変形例が適用可能である。以下、いくつかの変形例について説明する。
【０１６９】
（１）前記第１の実施形態では、携帯情報端末３は、情報処理装置２が生成した新たな操作画面を受信すると、それまで表示していた操作画面（旧操作画面）から、前記新たな操作画面（新操作画面）に切り替えるようにしたが、前記新旧の操作画面を並べて表示する２画面表示を行うようにしてもよい。
【０１７０】
図２０は、２画面表示された画面の一例を示しており、クラウドサービス用アプリケーション実行部３２の起動中に遠隔操作用アプリケーション実行部３５が起動された場合に携帯情報端末３に２画面表示された画面を示している。
【０１７１】
図２０に示す操作画面は、図１５に示す操作画面Ｇ７と、図９（ａ）に示すクラウドサービス画面Ｇ１とが左右に並べられた画面である。
【０１７２】
このような２画面表示を行うことにより、ユーザは、新旧の操作画面でそれぞれ操作を行いたい場合に、新旧の操作画面間で画面を切り替えることなく前記操作を行うことができるため、ユーザの操作性を向上させることができる。なお、この２画面表示処理は、例えば遠隔操作用アプリケーション実行部３５の表示制御部３１２が行うようにすればよい。
【０１７３】
（２）前記第１の実施形態においては、携帯情報端末３において撮影／再生用アプリケーション実行部３４が起動し、撮影画像が携帯情報端末３に表示されている状態で、遠隔操作用アプリケーション実行部３５が起動した場合、その撮影画像がプレビューとして操作パネル８や携帯情報端末３に表示されるようにしたが、例えば、ファイル作成用アプリケーション実行部３３によってサービス提供サーバー４に格納されているファイル（データ）が開かれている場合に、そのデータのプレビューを前記撮影画像のプレビューと同様に表示する処理を行ったり、或いは、ファイル作成用アプリケーション実行部３３によって或るフォルダ内の特定のファイル（データ）が開かれている場合に、そのファイルのプレビューを前記撮影画像のプレビューと同様に表示する処理を行ったりしてもよい。なお、ここでは、サービス提供サーバー４に格納されているファイル（データ）を開くアプリケーション実行部３１はファイル作成用アプリケーション実行部３３としたが、クラウドサービス用アプリケーション実行部３２であってもよい。
【０１７４】
このように撮影画像の画像ファイルに限らず、何らかのファイルが開かれており、且つ、遠隔操作用アプリケーション実行部３５が起動している場合には、そのファイルについて情報処理装置２で印刷を行いたいとユーザが考えていると考えられることから、前記のように該ファイルのプレビューを表示することで、ユーザは、開いているファイルの印刷結果を印刷前に確認することができ、情報処理装置２の利便性を向上することができる。
【０１７５】
（３）情報処理装置２がセキュリティ上の都合などで、クラウドサービスとの間で直接通信を行うことが禁止されている場合には、情報処理装置２はその旨を携帯情報端末３に通知し、携帯情報端末３は、情報処理装置２からその通知を受け取ると、情報処理装置２とサービス提供サーバー４との間の通信を中継するようにすればよい。
【０１７６】
例えば、携帯情報端末３が、情報処理装置２からサービス提供サーバー４にデータ（ファイル）を送信すべき場合において、情報処理装置２がサービス提供サーバー４との間で直接通信を行うことが禁止されている場合には、情報処理装置２がその旨の通知を携帯情報端末３に出力する。携帯情報端末３は、その通知を情報処理装置２から受け取ると、情報処理装置２が送信しようとしている前記データを情報処理装置２から取得して該データを情報処理装置２に代わってサービス提供サーバー４に送信するべく、情報処理装置２が携帯情報端末３に接続するためのアクセス情報（携帯情報端末３のアドレス）を情報処理装置２に通知する。そして、情報処理装置２は、前記アクセス情報が示す携帯情報端末３のアドレスに前記データを送信し、携帯情報端末３は、前記データを情報処理装置２から受信すると、該データをサービス提供サーバー４に送信する。
【０１７７】
これにより、情報処理装置２とサービス提供サーバー４との間で直接的な通信が禁止されている場合であっても、情報処理装置２からサービス提供サーバー４にデータを送信できないという状況が生じるのを回避することができる。
【０１７８】
（４）短縮キーＫ２，Ｋ３の操作によって指示された動作が完了した後は、操作パネル８や携帯情報端末３に表示された短縮キーＫ２，Ｋ３を自動的に消去するようにしてもよいが、消去しないで残しておいても良い。
【０１７９】
また、クラウドサービスを利用する場合に必要となる認証情報２３を前記短縮キーと対応付けて記憶しておき、再びそのクラウドサービスが利用される際において、前記短縮キーに対する操作が行われたときには、該短縮キーに対応付けて記憶されている認証情報２３をそのサービス提供サーバー４との接続に用いるようにすれば、該認証情報２３を携帯情報端末３から情報処理装置２に送信する処理を省くことができるため、その分、情報処理装置２がサービス提供サーバー４に接続しユーザ固有のアカウントにログインが完了するまでの時間を短くすることができる。
【０１８０】
また、操作パネル８や携帯情報端末３で表示されていた短縮キーを、短縮キーの操作によって指示された動作が完了すると操作画面から削除するか否かについて、ユーザに選択させるようにしてもよい。図２１は、その選択をユーザに行わせるための操作画面の一例を示す図である。
【０１８１】
図２１に示す操作画面Ｇ１０は、操作パネル８や携帯情報端末３で表示されていた短縮キーを動作完了後に操作画面から削除する指示を入力するための「ＹＥＳ」キーＫ１０１と、削除しない旨を入力するための「ＮＯ」キーＫ１０２とを有する。なお、この操作画面Ｇ８についても、操作パネル８及び携帯情報端末３の両方で表示するのが好ましい。
【０１８２】
図２２は、前記操作画面Ｇ１０で「ＹＥＳ」キーＫ１０１又は「ＮＯ」キーＫ１０２が操作された場合に、携帯情報端末３及び情報処理装置２で行われる処理を示すフローチャートである。
【０１８３】
図２２に示すように、携帯情報端末３において、「ＹＥＳ」キーＫ１０１が操作されることにより短縮キーを削除する旨が入力されると（ステップＳ１００でＹＥＳ）、携帯情報端末３は、情報処理装置２にその旨を通知する（ステップＳ１０１）。
【０１８４】
一方、情報処理装置２において、携帯情報端末３から前記通知を受信すると（ステップＳ１０４でＹＥＳ）、操作画面生成部６７は、前記短縮キーが削除された操作画面を新たに生成し（ステップＳ１０６）、この新たに生成した操作画面を操作パネル８に表示するとともに、該操作画面の画面データを携帯情報端末３に送信する（ステップＳ１０７）。
【０１８５】
携帯情報端末３は、情報処理装置２から前記新たに生成した操作画面の画面データを受信すると（ステップＳ１０２でＹＥＳ）、その画面データに基づき、前記短縮キーが削除された操作画面を表示する（ステップＳ１０３）。
【０１８６】
情報処理装置２は、ステップＳ１０４において、携帯情報端末３から短縮キーを削除する旨が入力されたという前記通知を受信していないが（ステップＳ１０４でＮＯ）、操作パネル８に表示される「ＹＥＳ」キーＫ１０１が操作されることにより短縮キーを削除する指示が入力された場合も（ステップＳ１０５でＮＯ）、ステップＳ１０６及びＳ１０７の処理を実行する。
【０１８７】
ステップＳ１００及びＳ１０５において「ＮＯ」キーＫ１０２が操作されることにより短縮キーを削除しない旨が入力された場合は（ステップＳ１００でＮＯ又はＳ１０５でＮＯ）、図２２に示す処理を終了する。
【０１８８】
このような処理を行うことにより、ユーザは、クラウドサービス等の利用頻度と、操作パネル８や携帯情報端末３の表示画面の視認性との兼合いを考慮して、短縮キーを削除するか残すかを決定することができる。
【０１８９】
すなわち、短縮キーを操作画面に追加すると、追加する前と比べて操作キーの数が増えるため、操作画面が多少煩雑となり該画面の視認性がある程度低下するため、操作画面の視認性を重視する場合は、操作キーの利用後は削除するのが好ましいと考えられるが、前記短縮キーが利用頻度の高いクラウドサービス等に係る短縮キーである場合には、ユーザの操作性の点から短縮キーを残す方が好ましいと考えられる。
【０１９０】
そこで、このような点を考慮してユーザに短縮キーを削除するか否かを選択させるようにすることで、情報処理システム１の利便性を向上することができる。
【０１９１】
（６）前記第１の実施形態では、遠隔操作用アプリケーション実行部３５の起動時にそれ以外のアプリケーション実行部３１が起動していない場合に、図１２に示すような手動設定画面Ｇ５を表示して、情報処理装置２がアクセスすべき対象の情報をユーザが入力できるようにしたが、アクセス先を予めユーザが設定しておくか情報処理システム１側で自動設定させるかをユーザが選択できるモードを有していてもよい。図２３は、この選択を行うための操作画面の一例を示す図である。なお、図２３に示す各操作画面も、情報処理装置２及び携帯情報端末３の両方で表示するのが好ましい。
【０１９２】
図２３（ａ）は、本実施形態における遠隔操作用アプリケーション実行部３５の起動時の初期画面Ｇ１１であり、図９（ｄ）に示す初期画面Ｇ４に対して「詳細設定」キーＫ１２が追加されている。「接続」キーＫ１１は、図９（ｄ）に示す「接続」キーＫ０と同様の機能を有するものである。
【０１９３】
「接続」キーＫ１１が操作されると、情報処理装置２と携帯情報端末３との通信の接続を確立する一方、「詳細設定」キーＫ１２が操作されると、図２３（ｂ）の操作画面Ｇ１２が表示され、アクセスすべきアクセス先を予め設定しておくか自動で設定するかをユーザが選択できる前述のモードに移行する。なお、ここでは、クラウドサービスを利用する場合のアクセス先と、情報処理装置２の読取動作により得られたスキャン画像ファイルを保存する保存先と、情報処理装置２内のファイルを送信する送信先とについてそれぞれ個別に前記選択を行うことができるようになっている。
【０１９４】
図２３（ｂ）に示す操作画面Ｇ１２において「スキャン/ＢＯＸ」キーＫ１３が操作されると、図２３（ｃ）に示す操作画面Ｇ１３が表示される。図２３（ｃ）に示す操作画面Ｇ１３は、情報処理装置２で取得したスキャン画像ファイルの保存先を設定する旨を入力するための操作キーＫ１６と、保存先を設定しない旨を入力するための操作キーＫ１７とを有する。また、前記操作画面Ｇ１３は、情報処理装置２内のファイルの送信先を設定する旨を入力するための操作キーＫ１８と、前記ファイルの送信先を設定しない旨を入力するための操作キーＫ１９と、「ＯＫ」キーＫ２０とを有する。
【０１９５】
この操作画面Ｇ１３において例えば操作キーＫ１８が操作されると、図２３（ｄ）に示す操作画面Ｇ１４が表示される。この操作画面Ｇ１４は、前記ファイルの送信先を自動で設定して登録する旨を入力するための操作キーＫ２１と、前記ファイルの送信先を手動で設定して登録する旨を入力するための操作キーＫ２２と、「ＯＫ」キーＫ２３とを有する。なお、操作画面Ｇ１３の操作キーＫ１７が操作された場合も、図２３（ｄ）と同様の操作画面が表示される。
【０１９６】
この操作画面Ｇ１４において操作キーＫ２２が操作されると、図２３（ｅ）に示す操作画面Ｇ１５が表示される。この操作画面Ｇ１５は、フォルダ名が入力可能となっている点以外は図１２に示す手動設定画面Ｇ５と同様であるので、その説明は省略する。
【０１９７】
一方、図２３（ｂ）に示す操作画面Ｇ１２において「クラウド」キーＫ１４が操作されると、図２３（ｆ）に示す操作画面Ｇ１６が表示される。図２３（ｆ）に示す操作画面Ｇ１６は、情報処理装置２との間で通信を行うサービス提供サーバー４のアドレスを設定する旨を入力するための操作キーＫ２５と、前記サービス提供サーバー４のアドレスを設定しない旨を入力するための操作キーＫ２６と、「ＯＫ」キーＫ２７とを有する。
【０１９８】
この操作画面Ｇ１６において例えば操作キーＫ２５が操作されると、図２３（ｇ）に示す操作画面Ｇ１７が表示される。この操作画面Ｇ１７は、図２３（ｄ）と同様の操作画面であり、前記サービス提供サーバー４のアドレスを自動で設定して登録する指示を入力するための操作キーＫ２８と、前記アドレスを手動で設定して登録する旨を入力するための操作キーＫ２９と、「ＯＫ」キーＫ３０とを有する。
【０１９９】
この操作画面Ｇ１７において操作キーＫ２９が操作されると、図２３（ｈ）に示す操作画面Ｇ１８が表示される。この操作画面Ｇ１８は、サービス提供サーバー４のＵＲＬが複数入力可能となっている点以外は図１２に示す手動設定画面Ｇ５と同様であるので、その説明は省略する。
【０２００】
なお、各操作画面（ｂ）〜（ｈ）で表示されている「ＯＫ」キーＫ１５、Ｋ２０、Ｋ２３、Ｋ２４、Ｋ２７、Ｋ３０、Ｋ３１が操作された場合には、その操作された「ＯＫ」キーを含む操作画面より１つ前に表示されていた操作画面に表示が戻る。
【０２０１】
このようなモードを設けることで、遠隔操作用アプリケーション実行部３５が起動したときに情報処理装置２がアクセスすべきアクセス先（アドレス）を予めユーザが設定しておくか自動で設定するかをユーザが選択することができ、情報処理システム１の利便性を向上することができる。
【０２０２】
（７）前記第１の実施形態では、遠隔操作用アプリケーション実行部３５が起動した後にアプリケーション実行部３２，３３，３４のいずれかが起動された場合には、携帯情報端末３は手動設定画面を表示するようにしたが、手動設定画面を表示するのではなく、アプリケーション実行部３２，３３，３４のいずれかが起動した後に、遠隔操作用アプリケーション実行部３５が起動した場合と同様にアクセス情報を生成して携帯情報端末３から情報処理装置２に送信するようにしてもよい。
【０２０３】
（８）前記実施形態では、情報処理装置２がスキャン機能、プリント機能及びＢＯＸ機能などの複数の機能を備えるＭＦＰなどで構成される装置である場合を例示した。しかし、本発明における情報処理装置は、必ずしもＭＦＰなどのような複数の機能を備えた装置に限られるものではない。
【０２０４】
例えば本発明における情報処理装置は、原稿を読み取って生成した画像データをネットワーク経由で外部に送信する機能を備えたスキャナ専用機、或いは、ネットワークを介して外部から受信する画像データに基づいて印刷出力を行う機能を備えたプリンタ専用機であっても構わない。また、情報処理装置２は、オフィス内のＬＡＮなどに接続されたネットワークストレージであっても構わない。
【０２０５】
（９）前記実施形態では、１つのサービス提供サーバー４によって１つのクラウドサービスが提供される場合を例示したが、例えば複数のサービス提供サーバーが互いに連携して１つのクラウドサービスを提供するものであっても構わない。
【０２０６】
（１０）前記実施形態では、携帯情報端末３と情報処理装置２とがＮＦＣなどの近距離無線通信を行う場合を例示したが、これに限られるものでもない。すなわち、携帯情報端末３と情報処理装置２とは、ＬＡＮなどのネットワークを介して通信を行うものであっても構わない。
【符号の説明】
【０２０７】
１  情報処理システム
２  情報処理装置
３  携帯情報端末
５  ネットワーク
１７  撮影部（撮影手段）
２０  オペレーティングシステム
２３  認証情報
３０  オペレーティングシステム
３１  アプリケーション実行部（第１のアプリケーション実行手段、第２のアプリケーション実行手段）
３２  クラウドサービス用アプリケーション実行部（第２のアプリケーション実行手段）
３３  ファイル作成用アプリケーション実行部（第２のアプリケーション実行手段）
３４  撮影／再生用アプリケーション実行部（第２のアプリケーション実行手段）
３５  遠隔操作用アプリケーション実行部（第１のアプリケーション実行手段）
４３  アプリケーション検知部（アプリケーション検知手段）
４４  アクセス情報生成部（通知手段）
４６  情報通信部（通知手段）
６７  操作画面生成部（操作画面生成手段）
７１  アクセス情報
８１  表示部（表示手段）
Ｇ１  クラウドサービス画面
Ｇ１０，Ｇ１２〜Ｇ１８  操作画面
Ｇ４，Ｇ１１  初期画面
Ｇ５  手動設定画面
Ｇ６〜Ｇ８  操作画面
【図１】
2014120975.tif 000003
【図２】
2014120975.tif 000004
【図３】
2014120975.tif 000005
【図４】
2014120975.tif 000006
【図５】
2014120975.tif 000007
【図６】
2014120975.tif 000008
【図７】
2014120975.tif 000009
【図８】
2014120975.tif 000010
【図９】
2014120975.tif 000011
【図１０】
2014120975.tif 000012
【図１１】
2014120975.tif 000013
【図１２】
2014120975.tif 000014
【図１３】
2014120975.tif 000015
【図１４】
2014120975.tif 000016
【図１５】
2014120975.tif 000017
【図１６】
2014120975.tif 000018
【図１７】
2014120975.tif 000019
【図１８】
2014120975.tif 000020
【図１９】
2014120975.tif 000021
【図２０】
2014120975.tif 000022
【図２１】
2014120975.tif 000023
【図２２】
2014120975.tif 000024
【図２３】
2014120975.tif 000025